(57)【特許請求の範囲】
【請求項１】
インターネットプロトコル（ＩＰ）ベース無線通信ネットワークの基地局によって、ユーザ機器（ＵＥ）の拡張物理下りリンク制御チャンネル（ｅＰＤＣＣＨ）における、複数の変調されたシンボルを、複数の局在ｅＣＣＥおよび複数の分散ｅＣＣＥのうち少なくとも１つを含む複数の拡張制御チャンネル要素（ｅＣＣＥ）に対して、マッピングする段階と、
前記基地局によって、前記ｅＰＤＣＣＨのアグリゲーションレベルに基づいて前記複数の局在ｅＣＣＥに対する論理インデキシングを実行する段階と、
前記基地局によって、前記ｅＰＤＣＣＨの前記アグリゲーションレベルに基づいて前記複数の分散ｅＣＣＥに対する論理インデキシングを実行する段階と、
前記基地局によって、前記ｅＰＤＣＣＨの前記アグリゲーションレベルに基づいて探索空間の前記複数の局在ｅＣＣＥの複数の論理インデックスを分散させる段階と、を備える、方法。
【請求項２】
インターネットプロトコル（ＩＰ）ベース無線通信ネットワークの基地局によって、ユーザ機器（ＵＥ）の拡張物理下りリンク制御チャンネル（ｅＰＤＣＣＨ）における、複数の変調されたシンボルを、複数の局在ｅＣＣＥおよび複数の分散ｅＣＣＥのうち少なくとも１つを含む複数の拡張制御チャンネル要素（ｅＣＣＥ）に対して、マッピングする段階と、
前記基地局によって、前記ｅＰＤＣＣＨのアグリゲーションレベルに基づいて前記複数の局在ｅＣＣＥに対する論理インデキシングを実行する段階と、
前記基地局によって、前記ｅＰＤＣＣＨの前記アグリゲーションレベルに基づいて前記複数の分散ｅＣＣＥに対する論理インデキシングを実行する段階と、
前記複数の局在ｅＣＣＥと前記複数の分散ｅＣＣＥとの比に基づいて前記ＵＥが探索すべき複数の局在ｅＰＤＣＣＨ候補と複数の分散ｅＰＤＣＣＨ候補との比を、前記基地局によって示す段階と、を備える、方法。
【請求項３】
インターネットプロトコル（ＩＰ）ベース無線通信ネットワークの基地局によって、ユーザ機器（ＵＥ）の拡張物理下りリンク制御チャンネル（ｅＰＤＣＣＨ）における、複数の変調されたシンボルを、複数の局在ｅＣＣＥおよび複数の分散ｅＣＣＥのうち少なくとも１つを含む複数の拡張制御チャンネル要素（ｅＣＣＥ）に対して、マッピングする段階と、
前記基地局によって、前記ｅＰＤＣＣＨのアグリゲーションレベルに基づいて前記複数の局在ｅＣＣＥに対する論理インデキシングを実行する段階と、
前記基地局によって、前記ｅＰＤＣＣＨの前記アグリゲーションレベルに基づいて前記複数の分散ｅＣＣＥに対する論理インデキシングを実行する段階と、
第１の分散ｅＣＣＥが前記ｅＰＤＣＣＨを送信するための第１のＩＣＩＣ座標領域を用いていることを決定することに応答して、前記基地局によって、前記第１のＩＣＩＣ座標領域をブランキングする段階と、
前記ｅＰＤＣＣＨの前記アグリゲーションレベルに基づいて第２のＩＣＩＣ座標領域内に、前記第１の分散ｅＣＣＥに隣接している第２の分散ｅＣＣＥ用の複数の論理ｅＣＣＥを分散させる段階と、を備える、方法。
【請求項４】
インターネットプロトコル（ＩＰ）ベース無線通信ネットワークの基地局によって、ユーザ機器（ＵＥ）の拡張物理下りリンク制御チャンネル（ｅＰＤＣＣＨ）における、複数の変調されたシンボルを、複数の局在ｅＣＣＥおよび複数の分散ｅＣＣＥのうち少なくとも１つを含む複数の拡張制御チャンネル要素（ｅＣＣＥ）に対して、マッピングする段階と、
前記基地局によって、前記ｅＰＤＣＣＨのアグリゲーションレベルに基づいて前記複数の局在ｅＣＣＥに対する論理インデキシングを実行する段階と、
前記基地局によって、前記ｅＰＤＣＣＨの前記アグリゲーションレベルに基づいて前記複数の分散ｅＣＣＥに対する論理インデキシングを実行する段階と、
前記ｅＰＤＣＣＨの前記アグリゲーションレベルに基づいて、グローバル論理インデキシングを提供するべく複数の論理局在インデックスと複数の論理分散インデックスとを、前記基地局によって、互いにインターリーブする段階と、を備える、方法。
【請求項５】
前記ｅＰＤＣＣＨの前記アグリゲーションレベルに基づいて探索空間の前記複数の局在ｅＣＣＥの複数の論理インデックスを、前記基地局によって分散させる段階を、さらに備える、請求項２から４のいずれか一項に記載の方法。
【請求項６】
前記ｅＰＤＣＣＨの品質に基づいて、前記ｅＰＤＣＣＨの探索空間のリソースブロックペア内の前記複数の局在ｅＣＣＥと前記複数の分散ｅＣＣＥとの比を、前記基地局によって決定する段階を、さらに備える、請求項１から５のいずれか一項に記載の方法。
【請求項７】
複数の論理インデックスにマップする複数の物理ｅＣＣＥインデックスによって前記ＵＥの物理上りリンク制御チャンネル（ＰＵＣＣＨ）のインデックスを、前記基地局によって導出する段階を、さらに備える、請求項１から６のいずれか一項に記載の方法。
【請求項８】
前記ｅＰＤＣＣＨの前記アグリゲーションレベルに基づいて、前記グローバル論理インデキシング内の前記ｅＰＤＣＣＨの送信に関する複数の異なるＩＣＩＣ座標領域に複数の論理分散ｅＣＣＥを、前記基地局によって分散させる段階を、さらに備える、請求項４に記載の方法。
【請求項９】
前記ｅＰＤＣＣＨの複数の論理インデックスに基づいて、ｅＰＤＣＣＨリソース割り当てを、前記基地局によって実行する段階を、さらに備える、請求項１から８のいずれか一項に記載の方法。
【請求項１０】
前記ｅＰＤＣＣＨの複数の論理インデックスに基づいて、ｅＰＤＣＣＨブラインド復号化を、前記ＵＥによって実行する段階を、さらに備える、請求項１から９のいずれか一項に記載の方法。
【請求項１１】
前記第１のＩＣＩＣ座標領域および前記第２のＩＣＩＣ座標領域の各々は、各リソースブロックペア内の１つの等価な局在ｅＣＣＥに等しい、請求項３に記載の方法。
【請求項１２】
インターネットプロトコル（ＩＰ）ベース無線通信ネットワークの拡張型ノードＢ局（ｅＮＢ局）を介して、ユーザ機器（ＵＥ）と通信するプロセッサと、
前記プロセッサに結合し、複数の命令が格納された記憶媒体とを備え、該命令は、前記プロセッサによって実行された場合に、
前記ユーザ機器（ＵＥ）の拡張物理下りリンク制御チャンネル（ｅＰＤＣＣＨ）内の複数の変調されたシンボルが前記ｅＮＢ局により複数の拡張制御チャンネル要素（複数のｅＣＣＥ）に対してマッピングされること、
前記複数のｅＣＣＥは、複数の局在ｅＣＣＥおよび複数の分散ｅＣＣＥを有し、前記ｅＮＢ局によって、前記ｅＰＤＣＣＨのアグリゲーションレベルに基づいて前記複数の局在ｅＣＣＥおよび前記複数の分散ｅＣＣＥに対して論理インデキシングを実行すること、ならびに、
前記ｅＮＢ局によって、前記ｅＰＤＣＣＨの前記アグリゲーションレベルに基づいて探索空間内に、複数の異なるリソースブロックペア内の前記複数の局在ｅＣＣＥの複数の論理インデックスを分散させること、をもたらす、システム。
【請求項１３】
インターネットプロトコル（ＩＰ）ベース無線通信ネットワークの拡張型ノードＢ局（ｅＮＢ局）を介して、ユーザ機器（ＵＥ）と通信するプロセッサと、
前記プロセッサに結合し、複数の命令が格納された記憶媒体とを備え、該命令は、前記プロセッサによって実行された場合に、
前記ユーザ機器（ＵＥ）の拡張物理下りリンク制御チャンネル（ｅＰＤＣＣＨ）内の複数の変調されたシンボルが前記ｅＮＢ局により複数の拡張制御チャンネル要素（複数のｅＣＣＥ）に対してマッピングされること、
前記複数のｅＣＣＥは、複数の局在ｅＣＣＥおよび複数の分散ｅＣＣＥを有し、前記ｅＮＢ局によって、前記ｅＰＤＣＣＨのアグリゲーションレベルに基づいて前記複数の局在ｅＣＣＥおよび前記複数の分散ｅＣＣＥに対して論理インデキシングを実行すること、ならびに、
前記複数の局在ｅＣＣＥと前記複数の分散ｅＣＣＥとの比に基づいてＵＥが探索すべき複数の局在ｅＰＤＣＣＨ候補と複数の分散ｅＰＤＣＣＨ候補との比を前記ｅＮＢ局によって示すこと、をもたらす、システム。
【請求項１４】
インターネットプロトコル（ＩＰ）ベース無線通信ネットワークの拡張型ノードＢ局（ｅＮＢ局）を介して、ユーザ機器（ＵＥ）と通信するプロセッサと、
前記プロセッサに結合し、複数の命令が格納された記憶媒体とを備え、該命令は、前記プロセッサによって実行された場合に、
前記ユーザ機器（ＵＥ）の拡張物理下りリンク制御チャンネル（ｅＰＤＣＣＨ）内の複数の変調されたシンボルが前記ｅＮＢ局により複数の拡張制御チャンネル要素（複数のｅＣＣＥ）に対してマッピングされること、
前記複数のｅＣＣＥは、複数の局在ｅＣＣＥおよび複数の分散ｅＣＣＥを有し、前記ｅＮＢ局によって、前記ｅＰＤＣＣＨのアグリゲーションレベルに基づいて前記複数の局在ｅＣＣＥおよび前記複数の分散ｅＣＣＥに対して論理インデキシングを実行すること、ならびに、
前記ｅＰＤＣＣＨの前記アグリゲーションレベルに基づいて、前記ｅＰＤＣＣＨの送信における複数の異なるＩＣＩＣ座標領域内に前記複数の分散ｅＣＣＥの複数の論理インデックスを、前記ｅＮＢ局によって分散させること、をもたらし、
各ＩＣＩＣ座標領域が各リソースブロックペア内の１つの等価な局在ｅＣＣＥに等しい、システム。
【請求項１５】
インターネットプロトコル（ＩＰ）ベース無線通信ネットワークの拡張型ノードＢ局（ｅＮＢ局）を介して、ユーザ機器（ＵＥ）と通信するプロセッサと、
前記プロセッサに結合し、複数の命令が格納された記憶媒体とを備え、該命令は、前記プロセッサによって実行された場合に、
前記ユーザ機器（ＵＥ）の拡張物理下りリンク制御チャンネル（ｅＰＤＣＣＨ）内の複数の変調されたシンボルが前記ｅＮＢ局により複数の拡張制御チャンネル要素（複数のｅＣＣＥ）に対してマッピングされること、
前記複数のｅＣＣＥは、複数の局在ｅＣＣＥおよび複数の分散ｅＣＣＥを有し、前記ｅＮＢ局によって、前記ｅＰＤＣＣＨのアグリゲーションレベルに基づいて前記複数の局在ｅＣＣＥおよび前記複数の分散ｅＣＣＥに対して論理インデキシングを実行すること、ならびに、
グローバル論理インデキシングを提供するべく、前記ｅＰＤＣＣＨの前記アグリゲーションレベルに基づいて、複数の論理局在インデックスおよび複数の論理分散インデックスを、前記ｅＮＢ局によって互いにインターリーブすること、をもたらす、システム。
【請求項１６】
前記複数の命令は、実行された場合、前記ｅＰＤＣＣＨの前記アグリゲーションレベルに基づいて探索空間内に、複数の異なるリソースブロックペア内の前記複数の局在ｅＣＣＥの複数の論理インデックスを、前記ｅＮＢ局によって分散させることを、さらにもたらす、請求項１３から１５のいずれか一項に記載のシステム。
【請求項１７】
前記複数の命令は、実行された場合、前記ｅＰＤＣＣＨの品質に基づいて前記ｅＰＤＣＣＨの探索空間のリソースブロックペア内の前記複数の局在ｅＣＣＥと前記複数の分散ｅＣＣＥとの比を前記ｅＮＢ局によって決定することを、さらにもたらす、請求項１２から１６のいずれか一項に記載のシステム。
【請求項１８】
前記複数の命令は、実行された場合、複数の論理インデックスにマップする複数の物理ｅＣＣＥインデックスによって前記ＵＥの物理上りリンク制御チャンネル（ＰＵＣＣＨ）の複数のインデックスを、基地局によって導出することを、さらにもたらす、請求項１２から１７のいずれか一項に記載のシステム。
【請求項１９】
前記複数の命令は、実行された場合、前記ｅＮＢ局によって、前記ｅＰＤＣＣＨのアグリゲーションレベルに基づいて、前記グローバル論理インデキシングにおける前記ｅＰＤＣＣＨの送信の複数の異なるＩＣＩＣ座標領域内に、前記複数の論理分散インデックスを分散させることを、さらにもたらす、請求項１５に記載のシステム。
【請求項２０】
前記複数の命令は、実行された場合、前記ｅＮＢ局によって、前記ｅＰＤＣＣＨの複数の論理インデックスに基づいて、ｅＰＤＣＣＨリソース割り当てを実行することを、さらにもたらす、請求項１２から１９のいずれか一項に記載のシステム。
【請求項２１】
無線通信ネットワーク進化型ノードＢ（ｅＮＢ）によって採用される装置であって、
複数の拡張制御チャンネル要素（複数のｅＣＣＥ）に対して、拡張物理下りリンク制御チャンネル（ｅＰＤＣＣＨ）内の変調されたシンボルをマッピングし、前記複数のｅＣＣＥは、複数の局在ｅＣＣＥおよび複数の分散ｅＣＣＥのうち少なくとも１つを含み、前記ｅＰＤＣＣＨは、無線フレーム内のユーザ機器（ＵＥ）と通信する、リソースマッピングモジュールと、
前記ｅＰＤＣＣＨのアグリゲーションレベルに基づいて、前記複数の局在ｅＣＣＥおよび前記複数の分散ｅＣＣＥのうち少なくとも１つに対して論理インデキシングを実行する、ｅＣＣＥインデキシングモジュールと、
を備え、
前記ｅＣＣＥインデキシングモジュールは、さらに、前記ｅＰＤＣＣＨの前記アグリゲーションレベルに基づいて、異なるリソースブロックペアの前記複数の局在ｅＣＣＥの複数の論理インデックスを探索空間に分散する、装置。
【請求項２２】
無線通信ネットワーク進化型ノードＢ（ｅＮＢ）によって採用される装置であって、
複数の拡張制御チャンネル要素（複数のｅＣＣＥ）に対して、拡張物理下りリンク制御チャンネル（ｅＰＤＣＣＨ）内の変調されたシンボルをマッピングし、前記複数のｅＣＣＥは、複数の局在ｅＣＣＥおよび複数の分散ｅＣＣＥのうち少なくとも１つを含み、前記ｅＰＤＣＣＨは、無線フレーム内のユーザ機器（ＵＥ）と通信する、リソースマッピングモジュールと、
前記ｅＰＤＣＣＨのアグリゲーションレベルに基づいて、前記複数の局在ｅＣＣＥおよび前記複数の分散ｅＣＣＥのうち少なくとも１つに対して論理インデキシングを実行する、ｅＣＣＥインデキシングモジュールと、
を備え、
前記ｅＣＣＥインデキシングモジュールは、さらに、前記複数の局在ｅＣＣＥと前記複数の分散ｅＣＣＥとの比に基づいて前記ＵＥが探索すべき局在ｅＰＤＣＣＨ候補と分散ｅＰＤＣＣＨ候補との比を示す、装置。
【請求項２３】
無線通信ネットワーク進化型ノードＢ（ｅＮＢ）によって採用される装置であって、
複数の拡張制御チャンネル要素（複数のｅＣＣＥ）に対して、拡張物理下りリンク制御チャンネル（ｅＰＤＣＣＨ）内の変調されたシンボルをマッピングし、前記複数のｅＣＣＥは、複数の局在ｅＣＣＥおよび複数の分散ｅＣＣＥのうち少なくとも１つを含み、前記ｅＰＤＣＣＨは、無線フレーム内のユーザ機器（ＵＥ）と通信する、リソースマッピングモジュールと、
前記ｅＰＤＣＣＨのアグリゲーションレベルに基づいて、前記複数の局在ｅＣＣＥおよび前記複数の分散ｅＣＣＥのうち少なくとも１つに対して論理インデキシングを実行する、ｅＣＣＥインデキシングモジュールと、
を備え、
前記ｅＣＣＥインデキシングモジュールは、さらに、前記ｅＰＤＣＣＨの前記アグリゲーションレベルに基づいて前記ｅＰＤＣＣＨの送信の複数の異なるＩＣＩＣ座標領域の分散ｅＣＣＥに対して複数の論理ｅＣＣＥを分散し、前記複数の異なるＩＣＩＣ座標領域の各々が各リソースブロックペア内の１つの等価な局在ｅＣＣＥに等しくなる、装置。
【請求項２４】
無線通信ネットワーク進化型ノードＢ（ｅＮＢ）によって採用される装置であって、
複数の拡張制御チャンネル要素（複数のｅＣＣＥ）に対して、拡張物理下りリンク制御チャンネル（ｅＰＤＣＣＨ）内の変調されたシンボルをマッピングし、前記複数のｅＣＣＥは、複数の局在ｅＣＣＥおよび複数の分散ｅＣＣＥのうち少なくとも１つを含み、前記ｅＰＤＣＣＨは、無線フレーム内のユーザ機器（ＵＥ）と通信する、リソースマッピングモジュールと、
前記ｅＰＤＣＣＨのアグリゲーションレベルに基づいて、前記複数の局在ｅＣＣＥおよび前記複数の分散ｅＣＣＥのうち少なくとも１つに対して論理インデキシングを実行する、ｅＣＣＥインデキシングモジュールと、
を備え、
前記ｅＣＣＥインデキシングモジュールは、さらに、前記ｅＰＤＣＣＨの前記アグリゲーションレベルに基づいて、グローバル論理インデキシングを提供するべく複数の論理局在インデックスと複数の論理分散インデックスとを互いにインターリーブする、装置。
【請求項２５】
無線通信ネットワーク進化型ノードＢ（ｅＮＢ）によって採用される装置であって、
複数の拡張制御チャンネル要素（複数のｅＣＣＥ）に対して、拡張物理下りリンク制御チャンネル（ｅＰＤＣＣＨ）内の変調されたシンボルをマッピングし、前記複数のｅＣＣＥは、複数の局在ｅＣＣＥおよび複数の分散ｅＣＣＥのうち少なくとも１つを含み、前記ｅＰＤＣＣＨは、無線フレーム内のユーザ機器（ＵＥ）と通信する、リソースマッピングモジュールと、
前記ｅＰＤＣＣＨのアグリゲーションレベルに基づいて、前記複数の局在ｅＣＣＥおよび前記複数の分散ｅＣＣＥのうち少なくとも１つに対して論理インデキシングを実行する、ｅＣＣＥインデキシングモジュールと、
を備え、
前記ｅＣＣＥインデキシングモジュールは、さらに、前記ｅＰＤＣＣＨの前記アグリゲーションレベルに基づいて、グローバル論理インデキシングにおける前記ｅＰＤＣＣＨの送信の複数の異なるＩＣＩＣ座標領域内に、複数の論理分散インデックスを分散させる、装置。
【請求項２６】
前記ｅＣＣＥインデキシングモジュールは、さらに、前記ｅＰＤＣＣＨの前記アグリゲーションレベルに基づいて、異なるリソースブロックペアの前記複数の局在ｅＣＣＥの複数の論理インデックスを探索空間に分散する、請求項２２から２５のいずれか一項に記載の装置。
【請求項２７】
前記ｅＣＣＥインデキシングモジュールは、さらに、前記ｅＰＤＣＣＨの品質に基づいて、前記ｅＰＤＣＣＨの探索空間のリソースブロックペア内の前記複数の局在ｅＣＣＥと前記複数の分散ｅＣＣＥとの比を決定する、請求項２１から２６のいずれか一項に記載の装置。
【請求項２８】
前記ｅＣＣＥインデキシングモジュールは、さらに、複数の論理インデックスにマッピングされる複数の物理ｅＣＣＥインデックスによって、前記ＵＥの物理上りリンク制御チャンネル（ＰＵＣＣＨ）の複数のインデックスを導出する、請求項２１から２７のいずれか一項に記載の装置。
【請求項２９】
無線通信ネットワークのユーザ機器（ＵＥ）によって採用される装置であって、
前記ユーザ機器と通信する進化型ノードＢ（ｅＮＢ）からの無線リソース制御信号伝送（ＲＲＣ信号伝送）を受信し、
ｅＰＤＣＣＨのアグリゲーションレベルに基づいて複数の局在ｅＣＣＥおよび複数の分散ｅＣＣＥのうち少なくとも１つの複数の論理インデックスをデインデキシングする、回路を備え、
前記ＲＲＣ信号は、前記ｅＰＤＣＣＨの探索空間のリソースブロックペア内の前記複数の局在ｅＣＣＥと前記複数の分散ｅＣＣＥとの比を有し、
前記ｅＰＤＣＣＨは、無線フレーム内の前記ユーザ機器（ＵＥ）と通信し、
前記複数の局在ｅＣＣＥの前記複数の論理インデックスは、前記ｅＰＤＣＣＨの前記アグリゲーションレベルに基づいて、前記探索空間内の複数の異なるまたは同じリソースブロックペアに分散される、装置。
【請求項３０】
無線通信ネットワークのユーザ機器（ＵＥ）によって採用される装置であって、
前記ユーザ機器と通信する進化型ノードＢ（ｅＮＢ）からの無線リソース制御信号伝送（ＲＲＣ信号伝送）を受信し、
ｅＰＤＣＣＨのアグリゲーションレベルに基づいて複数の局在ｅＣＣＥおよび複数の分散ｅＣＣＥのうち少なくとも１つの複数の論理インデックスをデインデキシングする、回路を備え、
前記ＲＲＣ信号は、前記ｅＰＤＣＣＨの探索空間のリソースブロックペア内の前記複数の局在ｅＣＣＥと前記複数の分散ｅＣＣＥとの比を有し、
前記ｅＰＤＣＣＨは、無線フレーム内の前記ユーザ機器（ＵＥ）と通信し、
前記複数の分散ｅＣＣＥの論理インデックスは、前記ｅＰＤＣＣＨの前記アグリゲーションレベルに基づいて、前記ｅＰＤＣＣＨの送信の複数の異なるＩＣＩＣ座標領域に分散され、前記複数の異なるＩＣＩＣ座標領域の各々は、各リソースブロックペア内の１つの等価な局在ｅＣＣＥに等しい、装置。
【請求項３１】
無線通信ネットワークのユーザ機器（ＵＥ）によって採用される装置であって、
前記ユーザ機器と通信する進化型ノードＢ（ｅＮＢ）からの無線リソース制御信号伝送（ＲＲＣ信号伝送）を受信し、
ｅＰＤＣＣＨのアグリゲーションレベルに基づいて複数の局在ｅＣＣＥおよび複数の分散ｅＣＣＥのうち少なくとも１つの複数の論理インデックスをデインデキシングする、回路を備え、
前記ＲＲＣ信号は、前記ｅＰＤＣＣＨの探索空間のリソースブロックペア内の前記複数の局在ｅＣＣＥと前記複数の分散ｅＣＣＥとの比を有し、
前記ｅＰＤＣＣＨは、無線フレーム内の前記ユーザ機器（ＵＥ）と通信し、
複数の論理局在インデックスおよび複数の論理分散インデックスは、グローバル論理インデキシングを提供するべく、前記ｅＰＤＣＣＨの前記アグリゲーションレベルに基づいて、互いにインターリーブされる、装置。
【請求項３２】
前記ＲＲＣ信号伝送は、前記複数の局在ｅＣＣＥと前記複数の分散ｅＣＣＥとの比に基づいて前記ＵＥが探索すべき複数の局在ｅＰＤＣＣＨ候補と複数の分散ｅＰＤＣＣＨ候補との比に関する情報を、さらに備える、請求項２９から３１のいずれか一項に記載の装置。
【請求項３３】
前記複数の論理インデックスは、前記ｅＰＤＣＣＨの複数の物理ｅＣＣＥインデックスにマッピングされ、前記複数の物理ｅＣＣＥインデックスは、黙示的物理上りリンク制御チャンネル（ＰＵＣＣＨ）インデックス導出に使用される、請求項２９から３２のいずれか一項に記載の装置。
【請求項３４】
前記複数の論理分散インデックスは、前記ｅＰＤＣＣＨの前記アグリゲーションレベルに基づいて、前記グローバル論理インデキシングにおけるｅＰＤＣＣＨの送信の複数の異なるＩＣＩＣ座標領域に分散される、請求項３１に記載の装置。
【請求項３５】
前記複数の局在ｅＣＣＥおよび前記複数の分散ｅＣＣＥの前記複数の論理インデックスに基づいて、ｅＰＤＣＣＨリソース割り当てを実行する回路を、さらに備える、請求項２９から３４のいずれか一項に記載の装置。
【請求項３６】
前記複数の局在ｅＣＣＥおよび前記複数の分散ｅＣＣＥの前記複数の論理インデックスに基づいて、ｅＰＤＣＣＨブラインド復号化を実行する回路を、さらに備える、請求項２９から３５のいずれか一項に記載の装置。
【発明の詳細な説明】
【技術分野】
【０００１】
優先権の主張
２０１２年７月２日出願の「ｅＰＤＣＣＨ探索空間設計用のｅＣＣＥインデキシング」と題する米国仮特許出願第６１／６６７，３２５号（代理人整理番号Ｐ４５８４２Ｚ）の優先権を主張し、参照により本明細書に組み込むものとする。
【背景技術】
【０００２】
移動無線通信技術は、基地局（ＢＴＳ）と無線モバイルデバイスとの間でデータを送信するべく、様々な規格およびプロトコルを用いる。第３世代パートナーシッププロジェクト（３ＧＰＰ）ロングタームエボリューションシステム（ＬＴＥ）では、ＢＴＳは、ユーザ機器（ＵＥ）として知られている無線モバイルデバイスと通信するユニバーサル地上波無線アクセスネットワーク（ＵＴＲＡＮ）における、進化型ノードＢ（ｅノードＢまたはｅＮＢ）と無線ネットワークコントローラ（ＲＮＣ）との組み合わせである。データは、ｅノードＢから物理下りリンク共有チャンネル（ＰＤＳＣＨ）へＵＥを介して送信される。物理下りリンク制御チャンネル（ＰＤＣＣＨ）は、ＰＤＳＣＨ、上りリンクリソース付与、および上りリンク電力制御コマンド上の下りリソース割り当てに関連したスケジューリングまたは下りリンクリソース割り当てをＵＥに伝える下りリンク制御情報（ＤＣＩ）の転送に用いられる。ＰＤＣＣＨ信号は、ｅノードＢからＵＥへ送信される各サブフレーム内のＰＤＳＣＨよりも先に、送信されもよい。
【０００３】
ＰＤＣＣＨ信号は、セル固有基準信号（ＣＲＳ）に基づいて、ＵＥで復調されるように設計されている。しかし、ＣＲＳの使用は、次世代ＬＴＥシステムの複雑性の増加を考慮していない。例えば、異種ネットワークでは、複数のノードは、単一のセル内で同時に送信可能である。セル固有基準信号の使用は、セル容量を増加させる次世代技術を限定する場合がある。
【図面の簡単な説明】
【０００４】
本明細書中で説明される本発明は、例として示されるもので、添付図面に限定されるものではない。説明を簡潔かつ明確にするために、図面に示された構成要素は、必ずしも縮尺通りに描かれはしない。例えば、いくつかの構成要素の寸法は、明確化するべく他の構成要素に関連して誇張される場合がある。さらに、適切であると判断する場合、参照符号は、対応または類似の構成要素を示すべく、図面間で繰り返される。
【０００５】
【図１】実施例に係る下りリンク制御情報（ＤＣＩ）に対して実行される処理を説明するブロック図を示す。
【０００６】
【図２】実施例に係る下りリンク制御情報（ＤＣＩ）に対して実行される追加処理を説明するブロック図を示す。
【０００７】
【図３】実施例に係るリソースグリッドのブロック図を示す。
【０００８】
【図４Ａ】実施例に係るサブフレームに対してマッピングされた拡張物理下りリンク制御チャンネル（ｅＰＤＣＣＨ）のブロック図を示す。
【図４Ｂ】実施例に係るサブフレームに対してマッピングされた拡張物理下りリンク制御チャンネル（ｅＰＤＣＣＨ）のブロック図を示す。
【０００９】
【図５Ａ】追加例に係るサブフレームに対してマッピングされた拡張物理下りリンク制御チャンネル（ｅＰＤＣＣＨ）のブロック図を示す。
【図５Ｂ】追加例に係るサブフレームに対してマッピングされた拡張物理下りリンク制御チャンネル（ｅＰＤＣＣＨ）のブロック図を示す。
【００１０】
【図６Ａ】追加例に係るサブフレームに対してマッピングされた拡張物理下りリンク制御チャンネル（ｅＰＤＣＣＨ）のブロック図を示す。
【図６Ｂ】追加例に係るサブフレームに対してマッピングされた拡張物理下りリンク制御チャンネル（ｅＰＤＣＣＨ）のブロック図を示す。
【００１１】
【図７】実施例に係る局在および分散独立ｅＣＣＥインデキシングのフローチャートを示す。
【００１２】
【図８】実施例に係るグローバルな局在および分散ｅＣＣＥインデキシングを表すフローチャートを示す。
【００１３】
【図９】実施例に係るモバイル通信デバイスの一例を示すブロック図である。
【００１４】
【図１０】ｅＮＢおよびＵＥのの一例を示すブロック図である。
【００１５】
【図１１】システムの一例を示すブロック図である。
【００１６】
ここで、示された例示的な実施形態を参照するとともに、それらを説明するべく特定の用語を本明細書中で用いる。それにもかかわらず理解されるであろうことは、それによって本発明の範囲の限定が意図されていることである。
【発明を実施するための形態】
【００１７】
本発明を開示および説明する前に、理解すべきことは、本発明が本明細書中に開示された特定の構造、処理、段階、または材料に限定されないが、当業者が認識し得るそれらの均等物まで拡張されることである。また、本明細書中に採用される用語は、特定の実施例を説明するためのみに用いられ、限定することを意図していないと理解されるべきである。異なる図面における同一の参照符号は、同一の構成要素を表す。
【００１８】
明細書中において、「一実施形態」、「実施形態」、「例示的な実施形態」などに関する言及は、説明した実施形態が特有の機能、構造、または特性を含んでもよいことを示す。しかし、各々の実施形態は、特有の機能、構造、または特性を必ずしも含まなくてもよい。さらに、そのような文言は、必ずしも同一の実施形態に対して言及するものではない。さらに、特有の機能、構造、または特性が実施形態に関連して説明されている場合、それが明示的に説明されているか否かであろうとも、他の実施形態に関連してそのような機能、構造、または特性を達成するべく、当業者の知識の範囲内であるとされる。
【００１９】
本発明の実施形態は、ハードウェア、ファームウェア、ソフトウェア、またはそれらの組み合わせのかたちで実装されてもよい。また、本発明の実施形態は、１または複数のプロセッサによって読み取られて実行可能である機械可読媒体に格納された命令として実装されてもよい。機械可読媒体は、機械（例えば、コンピューティングデバイス）によって可読な形で情報を格納または送信するための任意のメカニズムを有してもよい。例えば、機械可読媒体として、読み出し専用メモリ（ＲＯＭ）と、ランダムアクセスメモリ（ＲＡＭ）と、磁気ディスク記憶媒体と、光学ストレージ媒体と、フラッシュメモリデバイスと、電気、光、音響、または他の形態の伝搬信号（例えば、伝送波、赤外線信号、デジタル信号）と、その他とを、挙げることが可能である。
【００２０】
以下の説明は、説明目的のみに用いられ、かつ限定として解釈されない第１、第２などの用語を含んでもよい。
【００２１】
技術実施形態に関する最初の概要を以下に提供し、次に具体的な技術実施形態をより詳しく後述する。この最初の要約は、技術をより迅速に理解する上で読み手を助けることを意図しているが、技術の主要な特徴または必須の特徴を特定することを意図しているものではなく、特許請求された主題の範囲の限定を意図しているものでもない。以下の定義は、後述する概要および実施形態を明確にするべく、提供される。
【００２２】
３ＧＰＰ無線アクセスネットワーク（ＲＡＮ）ＬＴＥシステムにおいて、送信局は、進化型ユニバーサル地上波無線アクセスネットワーク（Ｅ−ＵＴＲＡＮ）ノードＢ（進化型ノードＢ、拡張型ノードＢ、ｅノードＢ、またはｅＮＢとしても一般的に示されている）と、ユーザ機器（ＵＥ）として知られ、かつ無線モバイルデバイスに対して通信を行う無線ネットワークコントローラ（ＲＮＣ）との組み合わせであってもよい。下りリンク（ＤＬ）送信は、送信局（またはｅノードＢ）から無線モバイルデバイス（またはＵＥ）への通信であってもよく、また、上りリンク（ＵＬ）送信は、無線モバイルデバイスから送信局への通信であってもよい。
【００２３】
同種ネットワークでは、マクロノードとも称される送信局は、セル内のモバイルデバイスに基本無線カバレッジを提供してもよい。モバイルデバイスの使用量増加および機能性に起因するマクロノードに対するトラフィック負荷の増加を処理するべく、異種ネットワーク（ＨｅｔＮｅｔ）を導入した。ＨｅｔＮｅｔは、低電力ノード（マイクロｅＮＢ、ピコｅＮＢ、フェムトｅＮＢ、またはホームｅＮＢ［ＨｅＮＢ］）のレイヤが重なった、計画された高電力マクロノード（またはマクロｅＮＢ）のレイヤを有してもよく、それは、マクロノードのカバレッジエリア内で不十分に計画され、またはさらに完全には組織だっていないやり方で、展開されてもよい。マクロノードは、基本カバレッジに用いられてもよい。また、低電力ノードはカバレッジホールを埋めるために用いられてもよい。それによって、使用頻度の高い位置内の、またはマクロノードのカバレッジエリア間の境界での容量を改善し、建造物が信号送信を妨げるインドアカバレッジを改善する。
【００２４】
ＨｅｔＮｅｔを配備することで、物理下りリンク共有チャンネル（ＰＤＳＣＨ）上で通信されるデータなどのデータをセル内のＵＥへ送信する際の効率性を改善することが可能である。効率性は、低電力ノードをさらに使用してセルをより小さな領域に分割することで、高められる。
【００２５】
ＰＤＳＣＨ上でのデータの通信は、物理下りリンク制御チャンネル（ＰＤＣＣＨ）と称される制御チャンネルを介して制御される。ＰＤＣＣＨは、下りリンク（ＤＬ）および上りリンク（ＵＬ）リソース割り当て、送信電力コマンド、およびページングインジケータに用いられてもよい。下りリンクＰＤＳＣＨスケジューリング付与は、ＵＥ固有トラヒックを伝送すべく専用のＰＤＳＣＨリソース配分のための特定ＵＥに対して指定されてもよく、あるいは、それは、システム情報またはページングなどのブロードキャスト制御情報を伝送すべく共通のＰＤＳＣＨリソース配分のためのセル内の全てのＵＥに対して指定されてもよい。
【００２６】
ＰＤＣＣＨ上で伝送されたデータは、下りリンク制御情報（ＤＣＩ）と称される。ＤＣＩメッセージ用に定められたいくつかの従来のフォーマットが存在する。例えば、所定のフォーマットとして、以下のようなものが挙げられる。
【００２７】
上りリンク共有チャンネルＵＬ−ＳＣＨ割り当てを送信するためのフォーマット０；
【００２８】
単入力多出力（ＳＩＭＯ）オペレーション用の下りリンク共有チャンネル（ＤＬ−ＳＣＨ）割り当てを送信するためのフォーマット１； 
【００２９】
ＳＩＭＯオペレーション用のＤＬ−ＳＣＨ割り当てを圧縮送信するための、または、ランダムアクセス用のＵＥに対して専用プリアンブルシグネチャを割り当てるためのフォーマット１Ａ； 
【００３０】
多入力多出力（ＭＩＭＯ）ランク１ベース圧縮リソース割り当ての送信制御情報用のフォーマット１Ｂ； 
【００３１】
ＰＤＳＣＨ割り当ての高圧縮を送信するためのフォーマット１Ｃ； 
【００３２】
電源オフセットの付加情報を有するフォーマット１Ｂと同一のフォーマット１Ｄ； 
【００３３】
閉および開ループＭＩＭＯオペレーション用のＤＬ−ＳＣＨ割り当てをそれぞれ送信するための、フォーマット２およびフォーマット２Ａ；
【００３４】
上りリンクチャンネル用の送信電力制御（ＴＰＣ）コマンドを送信するための、フォーマット３およびフォーマット３Ａ。
【００３５】
このリストは、完全であることを意図していない。フォーマットを追加して用いてもよい。無線ネットワークの複雑性、例えば複数の異なるタイプのノードを有するＨｅｔＮｅｔの使用が増加することから、所望の下りリンク制御情報を伝送するべく他のフォーマットを生成してよい。
【００３６】
複数のＵＥは、無線フレームの１つのサブフレームにスケジューリングされてもよい。したがって、複数のＤＣＩメッセージは、複数のＰＤＣＣＨを用いて送信されてもよい。ＰＤＣＣＨ内のＤＣＩ情報は、１または複数の制御チャンネル要素（ＣＣＥ）を用いて、ｅＮＢによって送信されてもよい。ＣＣＥは、１つのグループとしてまとめられた複数のリソース要素群（ＲＥＧ）を有してもよい。レガシーＣＣＥは、例えば、最大で９つのＲＥＧを有してもよい。各ＲＥＧは、４つのリソース要素を有してもよい。各リソース要素は、直交振幅変調が用いられる場合に２ビットの情報を有してもよい。したがって、レガシーＣＣＥは、最大で７２ビットの情報を有してもよい。７２ビットを上回る情報がＤＣＩメッセージを伝えるのに必要とされる場合、複数のＣＣＥを採用してもよい。複数のＣＣＥの使用は、アグリゲーションレベルと称される。３ＧＰＰ  ＬＴＥリリース８、９、および１０は、１つのＰＤＣＣＨに割り当てられた１、２、４、または８つの連続ＣＣＥとして、アグリゲーションレベルを定める。
【００３７】
様々な実施形態において、方法は、インターネットプロトコル（ＩＰ）ベース無線通信ネットワークの基地局によって、ユーザ機器（ＵＥ）の拡張物理下りリンク制御チャンネル（ｅＰＤＣＣＨ）における変調されたシンボルを、局在ｅＣＣＥおよび分散ｅＣＣＥのうち少なくとも１つを含む複数の拡張制御チャンネル要素（ｅＣＣＥ）に対して、マッピングすることと、基地局によって、ｅＰＤＣＣＨのアグリゲーションレベルに基づいて局在ｅＣＣＥに対する論理インデキシングを実行することと、基地局によって、ｅＰＤＣＣＨのアグリゲーションレベルに基づいて分散ｅＣＣＥに対する論理インデキシングを実行することと、を備えてもよい。
【００３８】
様々な実施形態において、方法は、ｅＰＤＣＣＨの品質に基づいて、ｅＰＤＣＣＨの探索空間のリソースブロックペア内の局在ｅＣＣＥと分散ｅＣＣＥとの比を、基地局によって決定することを、さらに備えてもよい。
【００３９】
様々な実施形態において、方法は、局在ｅＣＣＥと分散ｅＣＣＥとの比に基づいてＵＥが探索すべき局在ｅＰＤＣＣＨ候補と分散ｅＰＤＣＣＨ候補との比を、基地局によって示すことを、さらに備えてもよい。
【００４０】
様々な実施形態において、方法は、ｅＰＤＣＣＨのアグリゲーションレベルに基づいて探索空間の局在ｅＣＣＥの複数の論理インデックスを、基地局によって分散させることを、さらに備えてもよい。
【００４１】
様々な実施形態において、方法は、第１の分散ｅＣＣＥがｅＰＤＣＣＨを送信するための第１のＩＣＩＣ座標領域を用いていることを決定することに応答して、基地局によって、第１のＩＣＩＣ座標領域をブランキングすること、ｅＰＤＣＣＨのアグリゲーションレベルに基づいて第２のＩＣＩＣ座標領域内に、第１の分散ｅＣＣＥに隣接している第２の分散ｅＣＣＥ用の論理ｅＣＣＥを分散させることを、さらに備えてもよい。
【００４２】
様々な実施形態において、方法は、複数の論理インデックスにマップする物理ｅＣＣＥインデックスによってＵＥの物理上りリンク制御チャンネル（ＰＵＣＣＨ）のインデックスを、基地局によって導出することを、さらに備えてもよい。
【００４３】
様々な実施形態において、方法は、ｅＰＤＣＣＨのアグリゲーションレベルに基づいて、基地局によって、グローバル論理インデキシングを提供するべく論理局在インデックスと論理分散インデックスとを互いにインターリーブすることを、さらに備えてもよい。
【００４４】
様々な実施形態において、方法は、ｅＰＤＣＣＨのアグリゲーションレベルに基づいて、グローバル論理インデキシング内のｅＰＤＣＣＨの送信に関する異なるＩＣＩＣ座標領域に論理分散ｅＣＣＥを、基地局によって分散させることを、さらに備えてもよい。
【００４５】
様々な実施形態において、方法は、ｅＰＤＣＣＨの複数の論理インデックスに基づいて、ｅＰＤＣＣＨリソース割り当てを、基地局によって実行することを、さらに備えてもよい。
【００４６】
様々な実施形態において、方法は、ｅＰＤＣＣＨの複数の論理インデックスに基づいて、ｅＰＤＣＣＨブラインド復号化を、基地局によって実行することを、さらに備えてもよい。
【００４７】
様々な実施形態において、各ＩＣＩＣ座標領域は、各リソースブロックペア内の１つの等価な局在ｅＣＣＥに等しい。
【００４８】
様々な実施形態において、システムは、インターネットプロトコル（ＩＰ）ベース無線通信ネットワークの拡張型ノードＢ（ｅＮＢ）局を介して、ユーザ機器（ＵＥ）と通信するプロセッサと、プロセッサに結合し、命令が格納された記憶媒体とを備え、該命令は、プロセッサによって実行された場合に、ユーザ機器（ＵＥ）の拡張物理下りリンク制御チャンネル（ｅＰＤＣＣＨ）内の変調されたシンボルがｅＮＢ局により複数の拡張制御チャンネル要素（ｅＣＣＥ）に対してマッピングされること、ならびに、複数のｅＣＣＥは、局在ｅＣＣＥおよび分散ｅＣＣＥを有し、ｅＮＢ局によって、ｅＰＤＣＣＨのアグリゲーションレベルに基づいて局在ｅＣＣＥおよび分散ｅＣＣＥに対して論理インデキシングを実行すること、をもたらす。
【００４９】
様々な実施形態において、命令は、実行された場合、ｅＰＤＣＣＨの品質に基づいてｅＰＤＣＣＨの探索空間のリソースブロックペア内の局在ｅＣＣＥと分散ｅＣＣＥとの比をｅＮＢ局によって決定することを、さらにもたらしてもよい。
【００５０】
様々な実施形態において、命令は、実行された場合、局在ｅＣＣＥと分散ｅＣＣＥとの比に基づいてＵＥが探索すべき局在ｅＰＤＣＣＨ候補と分散ｅＰＤＣＣＨ候補との比をｅＮＢ局によって示すことを、さらにもたらしてもよい。
【００５１】
様々な実施形態において、命令は、実行された場合、ｅＰＤＣＣＨのアグリゲーションレベルに基づいて探索空間内に、異なるリソースブロックペア内の局在ｅＣＣＥの論理インデックスを、ｅＮＢ局によって分散させることを、さらにもたらしてもよい。
【００５２】
様々な実施形態において、命令は、実行された場合、ｅＰＤＣＣＨのアグリゲーションレベルに基づいて、ｅＰＤＣＣＨの送信の異なるＩＣＩＣ座標領域内に、分散ｅＣＣＥの論理インデックスを、ｅＮＢ局によって分散させることを、さらにもたらしてもよい。ここで、各ＩＣＩＣ座標領域は、各リソースブロックペア内の１つの等価な局在ｅＣＣＥに等しい。
【００５３】
様々な実施形態において、命令は、実行された場合、複数の論理インデックスにマップする物理ｅＣＣＥインデックスによってＵＥの物理上りリンク制御チャンネル（ＰＵＣＣＨ）のインデックスを、基地局によって導出することを、さらにもたらしてもよい。
【００５４】
様々な実施形態において、命令は、実行された場合、グローバル論理インデキシングを提供するべく、ｅＰＤＣＣＨのアグリゲーションレベルに基づいて、論理局在インデックスおよび論理分散インデックスを、ｅＮＢ局によって互いにインターリーブすることを、さらにもたらしてもよい。
【００５５】
様々な実施形態において、命令は、実行された場合、ｅＮＢ局によって、ｅＰＤＣＣＨのアグリゲーションレベルに基づいて、グローバル論理インデキシングにおけるｅＰＤＣＣＨの送信の異なるＩＣＩＣ座標領域内に、論理分散インデックスを分散させることを、さらにもたらしてもよい。
【００５６】
様々な実施形態において、命令は、実行された場合、ｅＮＢ局によって、ｅＰＤＣＣＨの複数の論理インデックスに基づいて、ｅＰＤＣＣＨリソース割り当てを実行することを、さらにもたらしてもよい。
【００５７】
様々な実施形態において、命令は、実行された場合、ｅＮＢ局によって、ｅＰＤＣＣＨの複数の論理インデックスに基づいて、ｅＰＤＣＣＨブラインド復号化を実行することを、さらにもたらしてもよい。
【００５８】
様々な実施形態において、無線通信ネットワーク進化型ノードＢ（ｅＮＢ）によって採用される装置は、リソースマッピングモジュールと、ｅＣＣＥインデキシングモジュールとを備えてよく、該リソースマッピングモジュールは、複数の拡張制御チャンネル要素（ｅＣＣＥ）に対して、拡張物理下りリンク制御チャンネル（ｅＰＤＣＣＨ）内の変調されたシンボルをマッピングするように構成され、複数のｅＣＣＥは、局在ｅＣＣＥおよび分散ｅＣＣＥのうち少なくとも１つを含み、ｅＰＤＣＣＨは、無線フレーム内のユーザ機器（ＵＥ）と通信するように構成されており、さらに、ｅＣＣＥインデキシングモジュールは、ｅＰＤＣＣＨのアグリゲーションレベルに基づいて、局在ｅＣＣＥおよび分散ｅＣＣＥのうち少なくとも１つに対して論理インデキシングを実行するように構成されている。
【００５９】
様々な実施形態において、ｅＣＣＥインデキシングモジュールは、ｅＰＤＣＣＨの品質に基づいて、ｅＰＤＣＣＨの探索空間のリソースブロックペア内の局在ｅＣＣＥと分散ｅＣＣＥとの比を決定するように、さらに構成されてよい。
【００６０】
様々な実施形態において、ｅＣＣＥインデキシングモジュールは、局在ｅＣＣＥと分散ｅＣＣＥとの比に基づいてＵＥが探索すべき局在ｅＰＤＣＣＨ候補と分散ｅＰＤＣＣＨ候補との比を示すように、さらに構成されてよい。
【００６１】
様々な実施形態において、ｅＣＣＥインデキシングモジュールは、ｅＰＤＣＣＨのアグリゲーションレベルに基づいて、異なるリソースブロックペアの局在ｅＣＣＥの論理インデックスを探索空間に分散するように、さらに構成されてよい。
【００６２】
様々な実施形態において、ｅＣＣＥインデキシングモジュールは、ｅＰＤＣＣＨのアグリゲーションレベルに基づいてｅＰＤＣＣＨの送信の異なるＩＣＩＣ座標領域内の分散ｅＣＣＥに対して論理ｅＣＣＥを分散させ、各ＩＣＩＣ座標領域が各リソースブロックペア内の１つの等価な局在ｅＣＣＥに等しくなるように、さらに構成されてよい。
【００６３】
様々な実施形態において、ｅＣＣＥインデキシングモジュールは、複数の論理インデックスにマッピングされる物理ｅＣＣＥインデックスによってＵＥの物理上りリンク制御チャンネル（ＰＵＣＣＨ）のインデックスを導出するように、さらに構成されてよい。
【００６４】
様々な実施形態において、ｅＣＣＥインデキシングモジュールは、ｅＰＤＣＣＨのアグリゲーションレベルに基づいて、グローバル論理インデキシングを提供するべく論理局在インデックスと論理分散インデックスとを互いにインターリーブするように、さらに構成されてよい。
【００６５】
様々な実施形態において、ｅＣＣＥインデキシングモジュールは、ｅＰＤＣＣＨのアグリゲーションレベルに基づいて、グローバル論理インデキシングにおけるｅＰＤＣＣＨの送信の異なるＩＣＩＣ座標領域内に、論理分散インデックスを分散させるように、さらに構成されてよい。
【００６６】
様々な実施形態において、無線通信ネットワークのユーザ機器（ＵＥ）によって採用される装置は、ユーザ機器と通信するように構成された進化型ノードＢ（ｅＮＢ）からの無線リソース制御信号伝送（ＲＲＣ信号伝送）を受信し、ｅＰＤＣＣＨのアグリゲーションレベルに基づいて局在ｅＣＣＥおよび分散ｅＣＣＥのうち少なくとも１つの論理インデックスをデインデキシングする、回路を備えてもよい。ここで、ＲＲＣ信号は、ｅＰＤＣＣＨの探索空間のリソースブロックペア内の局在ｅＣＣＥと分散ｅＣＣＥとの比を有し、ｅＰＤＣＣＨは、無線フレーム内のユーザ機器（ＵＥ）と通信するように構成されている。
【００６７】
様々な実施形態において、ＲＲＣ信号伝送は、局在ｅＣＣＥと分散ｅＣＣＥとの比に基づいてＵＥが探索すべき局在ｅＰＤＣＣＨ候補と分散ｅＰＤＣＣＨ候補との比に関する情報をさらに備えてもよい。
【００６８】
様々な実施形態において、局在ｅＣＣＥの論理インデックスは、ｅＰＤＣＣＨのアグリゲーションレベルに基づいて、探索空間内の異なるまたは同じリソースブロックペアに分散されるように構成されてよい。
【００６９】
様々な実施形態において、分散ｅＣＣＥの論理インデックスは、ｅＰＤＣＣＨのアグリゲーションレベルに基づいて、ｅＰＤＣＣＨの送信の異なるＩＣＩＣ座標領域に分散されるように構成されてよい。ここで、各ＩＣＩＣ座標領域は、各リソースブロックペア内の１つの等価な局在ｅＣＣＥに等しい。
【００７０】
様々な実施形態において、論理インデックスは、ｅＰＤＣＣＨの物理ｅＣＣＥインデックスにマッピングされてもよく、物理ｅＣＣＥインデックスは、黙示的物理上りリンク制御チャンネル（ＰＵＣＣＨ）インデックス導出に使用される。
【００７１】
様々な実施形態において、論理局在インデックスおよび論理分散インデックスは、グローバル論理インデキシングを提供するべく、ｅＰＤＣＣＨのアグリゲーションレベルに基づいて、互いにインターリーブされてもよい。
【００７２】
様々な実施形態において、論理分散インデックスは、ｅＰＤＣＣＨのアグリゲーションレベルに基づいて、グローバル論理インデキシングにおけるｅＰＤＣＣＨの送信の異なるＩＣＩＣ座標領域に分散されてもよい。
【００７３】
様々な実施形態において、装置は、ｅＣＣＥの論理インデックスに基づいて、ｅＰＤＣＣＨリソース割り当てを実行する回路を、さらに備えてもよい。
【００７４】
様々な実施形態において、装置は、ｅＣＣＥの論理インデックスに基づいて、ｅＰＤＣＣＨブラインド復号化を実行する回路を、さらに備えてもよい。
【００７５】
ＰＤＣＣＨペイロードを作成するべく、図１に示されるように、いくつかの処理をＤＣＩに施してもよい。これらの処理として、ＤＣＩメッセージにおけるエラー検出に用いられる巡回冗長検査１０２のアタッチメント、前方誤り訂正で用いるチャンネル符号化１０４、および所望の符号化率でビットストリームを出力するために用いられるレートマッチング１０６を挙げることが可能である。巡回冗長検査、チャンネル符号化、およびレートマッチングを実行するための詳細な命令は、リリース８、９、および１０などの３ＧＰＰ  ＬＴＥ仕様書に提供されている。
【００７６】
次に、図２のブロック図に示されるように、変調、レイヤマッピング、プリコーディング、およびリソースマッピングを施す前に、各制御チャンネルの符号化ＤＣＩメッセージを多重化およびスクランブルしてもよい。
【００７７】
データブロックを作成するべく、各制御チャンネルの符号化ビットのブロックを、例えばマルチプレクサによって、多重化２０２してもよい。データのブロックサイズを変更して、所望のＣＣＥ位置でＰＤＣＣＨが確実に起動するようにしてもよい。データブロックのサイズを変更して、ＰＤＣＣＨによって用いられ得るＲＥＧの量にビットのブロックが確実に一致するようにしてもよい。次に、多重化ブロックビットをスクランブルしてもよい。目下用いられている１つのスクランブリング処理は、セル固有スクランブルシーケンスによるビットワイズＸＯＲオペレーションの使用である。他のタイプのスクランブリングも同様に用いることが可能である。符号化処理は、３ＧＰＰ  ＬＴＥ仕様書に概説されている。
【００７８】
次に、スクランブルビットを、例えば変調モジュールによって、変調２０４にかけてもよい。四位相偏移変調（ＱＰＳＫ）は、複素変調シンボルのブロックを作成するために、しばしば、用いられる。他の実施形態において、他のタイプの変調、例えば二位相偏移変調（ＢＰＳＫ）、１６直角位相振幅変調（１６−ＱＡＭ）、３２−ＱＡＭ、および６４−ＱＡＭなどを用いてもよい。
【００７９】
複素数値シンボルを、ｅノードＢで用いる送信アンテナの数に応じて、例えばレイヤマッピングモジュールによって、複数のレイヤにマッピング２０６してもよい。レガシーシステムでは、１、２、または４レイヤマッピングが用いられている。レイヤを追加して、例えば８レイヤマッピングを用いてもよい。マッピング処理は、３ＧＰＰ  ＬＴＥ仕様書に概説されている。
【００８０】
プリコーダ２０８は、各アンテナポート用の出力を生じるべく、レイヤマッパー２０６からブロックを取ることが可能である。送信ダイバーシチのプリコーディングを、３ＧＰＰ  ＬＴＥリリース８仕様書に基づいて、レガシーシステム内の２または４つのアンテナ用に実行することが可能である。８つのアンテナを有するｅノードＢなどのより複雑なシステムの送信ダイバーシチを、プリコーディングを用いて適用してもよい。プリコーディングに用いられる１つのスキームは、２つのアンテナ用のＡｌａｍｏｕｔｉスキームを含む。
【００８１】
次に、各アンテナ用の複素数値シンボルを、リソース要素にマッピング２１０のための複数のグループに、例えばリソースマッピングモジュールを用いて、分割してもよい。レガシーシステムでは、各アンテナの複素数値シンボルを分割して複数の４つ組にすることが可能である。次に、リソース要素群内のリソース要素に対してマッピングする前に、複数の４つ組セットとした複数のセットに対して、インターリーブおよび巡回シフトなどの置き換えを施してもよい。
【００８２】
ｅノードＢからＵＥへ送信された各サブフレーム内のＰＤＳＣＨに先立って、ＰＤＣＣＨを送信してもよい。ＵＥでのＰＤＣＣＨの復調を、セル固有基準信号（ＣＲＳ）に基づいて、行ってもよい。各セルに単一の基準信号のみを割り当てる。しかし、単一のＣＲＳを用いることは、セル内に展開され得るノードの数を限定する場合がある。
【００８３】
ＵＥは、ブラインド復号化を用いて、ＰＤＣＣＨを受信してもよい。ＰＤＣＣＨブラインド復号化のためにＵＥによって用いられるリソースを、探索空間と呼んでもよい。異なる探索空間を用いて、ＣＲＳの使用に関連してＵＥ固有基準信号（ＵＥ−ＲＳ）のｅＰＤＣＣＨの検出および復調を行ってもよい。
【００８４】
図３に示されるように、物理（ＰＨＹ）レイヤ上でＰＤＣＣＨを伝えるために用いられる信号は、一般的なロングタームエボリューション（ＬＴＥ）フレーム構造を用いて、ｅノードＢ（拡張型ノードＢまたは進化型ノードＢもしくはｅＮＢ）によって、ユーザ機器（ＵＥ）に送信されてもよい。図３の説明図では、レガシーＰＤＣＣＨが示されている。
【００８５】
無線フレーム３００の持続時間Ｔｆを、１０ミリ秒（ｍｓ）としてもよい。各無線フレームを、各々が１ｍｓ長である１０個のサブフレーム３１０ｉに、セグメント化または分割してもよい。各サブフレームを、各々の持続時間Ｔslotが０．５ｍｓである２つのスロット３２０ａおよび３２０ｂにさらに細分化してもよい。レガシーシステムでは、第１のスロット（＃０）３２０ａは、物理下りリンク制御チャンネル（ＰＤＣＣＨ）３６０と物理下りリンク共有チャンネル（ＰＤＳＣＨ）３６６とを有してもよく、第２のスロット（＃２）３２０ｂはＰＤＳＣＨを用いるデータを有してもよい。ｅノードＢおよびＵＥによって用いられるコンポーネントキャリア（ＣＣ）の各スロットは、ＣＣ周波数帯域幅に基づいて、複数のリソースブロック（ＲＢ）３３０ａ、３３０ｂ、３３０ｉ、３３０ｍ、および３３０ｎを有してもよい。
【００８６】
各ＲＢ３３０ｉは、１２〜１５ｋＨｚサブキャリア３３６（周波数軸上）と１つのサブキャリアあたり６または７直交周波数分割多重（ＯＦＤＭ）シンボル３３２（時間軸上）を有してもよい。一実施形態では、短い、または通常の巡回プレフィックスを採用する場合、ＲＢは７つのＯＦＤＭシンボルを使用してもよい。別の実施形態では、拡張巡回プレフィックスが用いられる場合、ＲＢは６つのＯＦＤＭシンボルを用いてもよい。短いまたは通常の巡回プレフィックスを用いて、リソースブロックを８４のリソース要素（ＲＥ）３４０ｉにマッピングしてもよく、あるいは、拡張巡回プレフィックスを用いてリソースブロックを７２のＲＥ（不図示）にマッピングしてもよい。ＲＥは、１つのサブキャリア（例えば、１５ｋＨｚ）３４６による１つのＯＦＤＭシンボル３４２の単位であってもよい。各ＲＥは、ＱＰＳＫを用いて、２つのビット３５０ａおよび３５０ｂの情報を送信することが可能である。１つのＲＥあたり通信される実際のビット数は、用いた変調レベルに依存する。
【００８７】
キャリアアグリゲーションにおける各レガシーサービングセルの制御領域は、１セットのＣＣＥから構成される。一実施形態では、ＣＣＥは、０からＮＣＣＥ，ｋ−１まで番号付け可能である。ここで、ＮＣＣＥ，ｋはサブフレームｋの制御領域におけるＣＣＥの総数である。ＵＥは、制御情報に関する上位レイヤ信号伝送によって構成されるような１または複数のアクティブ化されたサービングセル上の１セットのＰＤＣＣＨ候補をモニタリング可能である。本明細書中で用いられるモニタリングという用語は、ＵＥにおいて、モニタリングされたＤＣＩフォーマットのすべてに従ってセット内のＰＤＣＣＨ候補の各々を復号化することを試みることを、意味する。例えば、セット内のＰＤＣＣＨをモニタリングするべく、ＵＥは１または複数のＣＣＥを利用してもよい。
【００８８】
物理制御チャンネルは、１または複数のＣＣＥのアグリゲーション上で送信可能である。ＣＣＥを連続的に送信してもよい。前述したように、レガシー制御チャンネル要素の一例として、９個のリソース要素群（ＲＥＧ）に相当するものであってもよい。各レガシーＲＥＧは、４つのリソース要素を有する。一実施形態では、物理制御フォーマットインジケータチャンネル（ＰＣＦＩＣＨ）または物理ハイブリッド自動再送要求（ＡＲＱ）インジケータチャンネル（ＰＨＩＣＨ）に割り当てられないＲＥＧの数を、ＮＲＥＧとして示す。  ３ＧＰＰ  ＬＴＥシステムにおいて利用可能なＣＣＥを０からＮＣＣＥ−１まで番号付け可能であり、ＮＣＣＥ＝（ＮＲＥＧ／９）とする。ＰＤＣＣＨは、複数のフォーマットをサポートしてもよい。複数のＰＤＣＣＨがサブフレームにおいて送信可能である。ＰＤＣＣＨフォーマットの一例を以下の表に提供する。
【００８９】
３ＧＰＰ  ＬＴＥリリース８、９、および１０仕様書により説明されるように、目下説明されているＰＤＣＣＨの送信およびマッピング処理は、無線通信の他の領域でなされるアドバンスに制限を加える可能性がある。例えば、ＣＣＥをＯＦＤＭシンボルのサブフレームへマッピングすることが制御領域にわたって拡散されて、空間ダイバーシチを提供する場合がある。
【００９０】
例えば、今後のネットワークは、単一のマクロセルサービング領域にいくつかの異なる種類の送信ノードを含み得るＨｅｔＮｅｔとして構成されてよい。より多くのＵＥが、ＨｅｔＮｅｔのマクロおよびピコセルによって同時に機能し得る。３ＧＰＰ  ＬＴＥリリース８のＰＤＣＣＨは、セル固有基準信号に基づいて復調するように設計され、セル分割利得のフル活用を困難にする。ＰＤＣＣＨの設計は、ＵＥでの帯域幅の増加およびバッテリ使用の減少を図るべく、ＨｅｔＮｅｔ内の複数の送信ノードをＵＥが活用可能になる上で必要な情報の伝送に、適していないと思われる。
【００９１】
さらに、ＰＤＣＣＨの容量増加に必要とされるのが、マルチユーザ多入力多出力（ＭＵ−ＭＩＭＯ）、機械間通信（Ｍ２Ｍ）、マルチキャスト／ブロードキャスト単一周波数ネットワークにおけるＰＤＳＣＨ送信、およびキャリアアグリゲーションにおけるクロスキャリアスケジューリングを利用することである。ＵＥでのＰＤＣＣＨ復調におけるＵＥ固有基準信号の利用は、ＨｅｔＮｅｔ内の複数のノードの利用を可能にし得る。セル全体に対して単一の共通基準シンボルに依拠するのではなく、ビームフォーミングダイバーシチおよびセル分割利得を提供するべく、各基準シンボルをＵＥ固有にしてもよい。加えて、隣接するセルによる干渉協調は、隣接するセル間の直交性を保証するべく、マッピングプロシージャを用いてもよい。それによって、サブキャリア衝突の削減または回避がなされる。さらに、ｅＰＤＣＣＨ設計の容量は、今後のネットワークで増加すると思われる。
【００９２】
したがって、セルラーネットワーク設計の進展を可能にさせるとともに、目下の課題を最小限にするべく、拡張ＰＤＣＣＨ（ｅＰＤＣＣＨ）は、容量増加により構成されてよい。ｅＰＤＣＣＨ設計およびマッピング原理の例は、限定されることを意図していない。ｅＰＤＣＣＨが、限定されるものではないが、ＣＲＣアタッチメント、チャンネル符号化、レートマッチング、多重化、スクランブリング、変調、レイヤマッピング、プリコーディング、リソースマッピング、および探索空間条件を含む広範囲な設計態様のものであることから、提供する例は、特定のシステムに限定されることを意図していない。しかし、これらの例は、ｅＰＤＣＣＨ設計および実装の他の態様が拡張され得る改善を提供し得る。
【００９３】
一実施形態では、インターリーブされていないＵＥ−ＲＳベースのマッピングによる物理下りリンク制御チャンネル（Ｒ−ＰＤＣＣＨ）設計をｅＰＤＣＣＨ設計に用い、チャンネル状態情報（ＣＳＩ）フィードバックが利用可能な場合にスケジューリングおよびビームフォーミング利得を達成可能である。例えば、ｅＰＤＣＣＨ設計は、クロスインターリーブされていないＲ−ＰＤＣＣＨ設計に基づいてもよい。しかし、いくつかの実施形態では、例えば下りリンク上りリンクトラヒックが不均衡であるシナリオでは、中継固有の条件に限定されるＲ−ＰＤＣＣＨ設計は、ｅＰＤＣＣＨ設計において、ｅＮＢでより高いスケジューリングフレキシビリティを提供するには必要ないと考えられる。一実施形態では、ＵＥは、下りリンク割り当ておよび上りリンクグラントの両方のスロットで、リソースブロックをモニタリング可能である。
【００９４】
図４Ａは、アグリゲーションレベル（ＡＧＧＬ）が１である拡張制御チャンネル要素（ｅＣＣＥ）インデキシングの一例を提供する。アグリゲーションレベル１は、ｅＰＤＣＣＨ候補におけるＤＣＩ情報が単一のＣＣＥにマッピングできることを意味している。一実施形態では、各リソースブロックペアは、２つのリソースブロックを、有することが可能である。これらのリソースブロックは、図３に示されるように、各々が同一のサブキャリアを持ち、かつ無線フレームのサブフレーム内において第１および第２のスロットに位置している。図４Ａに示されるように、ＣＣＥＬは、局在ｅＣＣＥを表し、ＣＣＥＤは、分散ｅＣＣＥを表してもよい。図４Ａに示されるように、１つのＲＢペアに４つのＣＣＥが存在する。しかし、いくつかの実施形態では、異なる数のＣＣＥが１つのＲＢペアに存在し得る（例えば、２または任意の他の数をベースとするシステム条件）。
【００９５】
例えば、局在ｅＰＤＣＣＨを、局在ｅＣＣＥ４０２にマッピング可能である。周波数および時間に関して、単一のリソースブロックペアの一定数のリソース要素群（ＲＥＧ）、例えば４つのＲＥＧに対して、さらにマッピングされてもよい。あるいは、ＤＣＩデータロード条件（例えば、ＤＣＩデータ量）、または、ＰＣＦＩＣＨ条件、ＰＨＩＣＨ条件、および各リソースブロック内に割り当てられるデータのリソースシンボル条件などのリソースブロックの他の競合条件に基づいて、単一のリソースブロックペアのＲＥＧの数を変ることが可能である。  各ＲＥＧは、複数のリソース要素（例えば、９個）を有してもよい。リソースブロックペアにおいて局在ｅＣＣＥ４０２がマッピングされる複数のリソース要素は、時間および/または周波数に関して連続的であってもよい。あるいは、これらのリソース要素は、時間および/または周波数に関して不連続であってもよい。物理リソースブロックペアのスロット境界をまたがって、局在ｅＣＣＥ４０２をマッピング可能である。
【００９６】
一実施形態では、ｅＰＤＣＣＨ設計に関して、ランダムビームフォーミングダイバーシチ、隣接セルによる干渉協調をさらに検討してもよい。例えば、異なるリソースブロックペア内に分散した複数のＲＥＧに対してさらにマッピング可能である１または複数の分散ｅＣＣＥに対して、アグリゲーションレベルが同一である分散ｅＰＤＣＣＨをマッピング可能である。ＡＧＧＬが１である図４Ａの実施形態では、異なるリソースブロックペアに分散される複数のＲＥＧに対して、分散ｅＣＣＥ４０６をマッピング可能である。別の実施形態では、図４Ａに示されるように、同一アグリゲーションレベルに属する異なる分散ｅＰＤＣＣＨの分散ｅＣＣＥを、可能な限り分けてもよい。ＲＥＧの周波数分離によって、周波数ダイバーシチ利得が得られる。分散ｅＣＣＥ内の複数のＲＥＧをいくつかの別個のリソースブロックペアにマッピング可能である。しかし、複数のＲＥＧを単一のリソースブロックペアにマッピングしてもよい。より広範囲に分散されたＲＥＧは、より大きなダイバーシチ利得をもたらすことが可能である。
【００９７】
一実施形態では、分散ＣＣＥに関して、クロスインターリーブしていないＲ−ＰＤＣＣＨ設計をＲＥマッピングに利用可能である。例えば、分散ｅＰＤＣＣＨ設計は、ｅＰＤＣＣＨ復号化の分散ｅＣＣＥマッピングのＲＢにマッピングされるＣＲＳの代わりに、ＵＥ−ＲＳを用いることができる。ｅＰＤＣＣＨ設計によって大きなスケジューリングフレキシビリティが可能になると思われる。さらに、ＵＥは、下りリンク割り当ておよび上りリンクグラントの両方のスロットでＲＢのセットをモニタリングするように構成されてよい。一実施形態では、ランダムビームフォーミング利得を認識して空間領域ダイバーシチを達成するべく、ＵＥ−ＲＳに基づいてｅＰＤＣＣＨを復号化し、異なるプリコーダによって異なるＲＢのＲＥＧをプリコードすることが可能である。各ＲＢペアまたはＲＢペアバンドリングのプリコーダを事前に定義、またはｅＮＢにより無作為に選択してもよい。
【００９８】
図４Ａでは、アグリゲーションレベルが１の分散ｅＰＤＣＣＨを分散ｅＣＣＥにマッピング可能である。アグリゲーションレベル１は、 ＤＣＩ情報が単一の分散ｅＣＣＥ、例えば、４０６または４０８にマッピングされ得ることを表してもよい。図４Ａの実施例では、分散ｅＣＣＥは、周波数ダイバーシチ利得を提供するべくチャンネルプロファイルおよびシステム帯域幅に応じて、サブフレーム内の可能な限り周波数分離された複数のリソースブロックに対してマッピング可能である、例えば４つのＲＥＧを含んでもよい。例えば、分散ｅＣＣＥ４０６は、４つのＲＥＧを含んでもよい。しかし、より少ないまたはより多くの数のＲＥＧを、各分散ｅＣＣＥに用いてもよい。ＱＰＳＫよりも異なる変調スキームがＤＣＩ情報で用いられる場合、より多くのＲＥおよび/またはビットが各ＲＥＧに含まれてもよい。一実施形態では、分散ｅＣＣＥ４０６のＲＥＧを、周波数ダイバーシチ利得を提供するべくチャンネルプロファイルおよびシステム帯域幅に応じて、サブフレーム内の周波数分離された複数のリソースブロックに対してマッピング可能である。同様に、分散ｅＣＣＥ４０８のＲＥＧを周波数で分散させてもよい。
【００９９】
分散ｅＣＣＥ４０６および分散ｅＣＣＥ４０８のＲＥＧは、サブフレーム内の複数のリソースブロックの間で、同一の分散または異なる分散を有してもよい。例えば、分散ｅＣＣＥ４０６は、異なる物理リソースブロック（ＰＲＢ）ペアに位置する４つのＲＥＧ４２０、４２２、４２４、および４２６にマッピング可能である。また、分散ｅＣＣＥ４０８は、異なるＰＲＢペアに位置する４つのＲＥＧ４２１、４２３、４２５、および４２７にマッピング可能である。図４Ｂの例では、分散ｅＣＣＥは、周波数ダイバーシチ利得を提供するべくチャンネルプロファイルおよびシステム帯域幅に応じて、サブフレーム内の可能な限り周波数分離された複数のＲＥＧに対してマッピング可能である。分散ｅＣＣＥ４０６および４０８に示した各ＲＥＧはリソースブロックペア内の同一時間位置内に示される。一方で、このことはそれぞれの分散ｅＣＣＥには必要ではない。分散ｅＣＣＥ４０６およびｅＣＣＥ４０８の分散ＲＥＧは、リソースブロックペア内の一時的な異なる位置にあってもよい。サブフレーム内の各分散ｅＣＣＥは、同一数のＲＥＧまたは異なる数のＲＥＧを有してもよい。図４Ｂの例では、分散ｅＣＣＥ４０６は、４つのＲＥＧ４２０、４２２、４２４、および４２６を有してもよく、分散ｅＣＣＥ４０８は４つのＲＥＧ４２１、４２３、４２５、および４２７を有してもよい。
【０１００】
一実施形態では、局在ｅＣＣＥおよび分散ｅＣＣＥを別々にインデキシング可能である。例えば、図１に示されるように、局在ｅＣＣＥおよび分散ｅＣＣＥをゼロから開始してインデキシングする。しかし、いくつかの実施形態では局在ｅＣＣＥおよび分散ｅＣＣＥを異なるようにインデキシングしてもよい。一実施形態では、１つのＰＲＢペアにおける局在ｅＣＣＥと分散ｅＣＣＥとの比は、上位レイヤ信号伝送によって、例えばｅＮＢからの無線リソース制御（ＲＲＣ）信号伝送を介して、構成されてよい。例えば、４つのｅＣＣＥを有する１つのＰＲＢペアでは、局在ｅＣＣＥと分散ｅＣＣＥとの比は、２：２、３：１、１：３、４：０、または０：４であってもよい。一実施形態では、共通探索空間の比を一定、例えばゼロ個の局在ｅＣＣＥと４つの分散ｅＣＣＥとにより０：４に設定してもよい。別の実施形態では、ＵＥが探索すべき局在ｅＰＤＣＣＨ候補と分散ｅＰＤＣＣＨ候補との比を暗に示すべく、局在ｅＣＣＥと分散ｅＣＣＥとの比をＵＥによって用いることが可能である。いくつかの実施形態では、ＵＥが探索すべき局在候補と分散候補との比を、ＲＲＣ信号伝送を介して、示すことが可能である。いくつかの実施形態では、ｅＮＢは、例えば制御チャンネル品質に基づいて、ＵＥが探索すべき局在候補と分散候補との比を、調整可能である。例えば、より良いチャンネル品質のために、分散ｅＣＣＥよりも多くの局在ｅＣＣＥが構成されてよい。
【０１０１】
図４Ｂは、アグリゲーションレベル（ＡＧＧＬ）が２であるｅＰＤＣＣＨの拡張制御チャンネル要素（ｅＣＣＥ）の一例を示す。図４Ａと同様に、ＣＣＥＬは局在ｅＣＣＥを表わし、ｅＣＣＥＤは分散ｅＣＣＥを表わす。図４Ｂに示されるように、各ＲＢペア内に２つの局在ｅＣＣＥと２つの分散ｅＣＣＥとが存在する。しかし、いくつかの実施形態では、異なる数のＣＣＥと異なる局在分散比とをＲＢペアに用いられてもよい。一実施形態では、アグリゲーションレベルが２である局在ｅＰＤＣＣＨを、リソースブロックペア内の２つの別個の局在ｅＣＣＥ、例えば４０２および４１２にマッピングしてもよい。しかし、いくつかの実施形態では、これら２つの局在ｅＣＣＥ４０２および４１２がリソースブロックペアにおいて連続的なｅＣＣＥあってもよい。別の実施形態では、アグリゲーションレベルが２である分散ｅＰＤＣＣＨを分散ｅＣＣＥ、例えば４０６および４０８にマッピングしてもよい。
【０１０２】
一実施形態では、局在ｅＣＣＥインデキシングにおいてアグリゲーションレベル（ＡＧＧＬ）を考慮してもよい。アグリゲーションレベル特異的局在ｅＣＣＥインデキシングを用いてスケジューリング利得を達成してもよい。例えば、図４Ａおよび図４Ｂは、それぞれ、ＡＧＧＬ１および２用の論理局在ｅＣＣＥインデキシングを示す。複数の例において、論理インデックスを物理インデックスにマッピングしてもよい。例えば、論理インデックス物理インデックス間マッピングでは、物理インデックスに対してｅＣＣＥの論理インデックスを特異的にマッピングされたＡＧＧＬであってもよい。一方で、物理ｅＣＣＥを周波数増加順でインデキシングしてもよい。
【０１０３】
図４Ａでは、ＡＧＧＬが１である局在ｅＣＣＥの論理インデックスを、周波数の領域で単純に増すのではなく、４つのＰＲＢペアに分散させてもよい。図４Ａの局在ｅＣＣＥ４０２は、インデックスがＣＣＥＬ＿０であってもよい。局在ｅＣＣＥ４０２と同一のＰＲＢペアにある局在ｅＣＣＥ４１２を、ＣＣＥＬ＿４としてインデキシングしてもよい。局在ｅＣＣＥの論理インデックスのより大きなオフセットに基づいて、より多くのスケジューリング利得を得ることが可能である。例えば、０としてインデキシングされた局在ｅＣＣＥ４０２と、２、３、５、６、または７等としてインデキシングされた局在ｅＣＣＥ４１２とによって、異なるスケジューリング利得を得ることが可能である。図４Ｂは、ＡＧＧＬが２である場合に用いられる論理局在ｅＣＣＥインデックスの一例を示す。リソースブロックペアの２つの局在ｅＣＣＥ、例えば４０２および４１２に対して、アグリゲーションレベルが２の局在ｅＰＤＣＣＨをマッピング可能である。同一局在ｅＰＤＣＣＨの２つの局在ｅＣＣＥ４０２および４１２の論理インデックスを、周波数の領域で増やすことが可能である。例えば、局在ｅＣＣＥ４０２をゼロからインデキシングし、局在ｅＣＣＥ４１２のインデックスを１にしてもよい。同様に、同一のｅＰＤＣＣＨの送信またはｅＰＤＣＣＨ候補復号化に用いられる局在ｅＣＣＥ４０４および４１４を、それぞれ、２（ＣＣＥＬ＿２）および３（ＣＣＥＬ＿３）としてインデキシングしてもよい。
【０１０４】
図５Ａおよび５Ｂは、分散ｅＣＣＥの論理分散ｅＣＣＥインデキシングの例を示す。１または複数の分散ｅＣＣＥによって伝送されたｅＰＤＣＣＨについて、論理分散ｅＣＣＥインデキシングは、セル間干渉協調（ＩＣＩＣ）を考慮可能である。ＩＣＩＣ利得を最大化するべく、任意のＡＧＧＬの探索空間に属する分散ｅＣＣＥインデックスを、異なるＩＣＩＣ座標領域をまたがって分散させてもよい。一実施形態では、周波数ダイバーシチの利得を得るべく、分散ｅＣＣＥの各ＲＥＧをｅＣＣＥの他のＲＥＧから周波数分離させてもよい。
【０１０５】
図５Ａは、ＡＧＧＬが１であるｅＣＣＥを一例として挙げる。この例では、各ＰＲＢペアのＩＣＩＣ座標領域は、ＰＲＢペア内の１つの同等のeCCELに等しくてもよい。図５Ａでは各ＰＲＢペアが２つのＩＣＩＣ座標領域を有してもよいことを示しているが、異なる数のＩＣＩＣ座標領域がＰＲＢペアに存在してもよい。一実施形態では、第２のｅＮＢの隣接セルがｅＰＤＣＣＨの送信に第１の座標領域を用いることを第１のｅＮＢにより決定されることに応答して、第１のｅＮＢは第１の座標領域をブランキングして、ｅＰＤＣＣＨを送信するための第１のｅＮＢの現在のセルのための第２の座標領域を用いることで、隣接セル間のセル間干渉を低減させてもよい。図５Ａの例では、ＩＣＩＣ座標領域５２０が第２のｅＮＢの隣接セルによって用いられることを第１のｅＮＢが知る場合、第１のｅＮＢはＩＣＩＣ座標領域５２０を用いずにｅＰＤＣＣＨの送信の座標領域５２１を用いることが可能であり、したがって、同一の座標領域５２１に分散ｅＣＣＥを位置させることが可能となる。
【０１０６】
図５Ａの例では、分散ＣＣＥＤ＿０  ５０６およびｅＣＣＥＤ＿１  ５０８を異なるＩＣＩＣ座標領域に分散可能である。例えば、ＣＣＥＤ＿０  ５０６は、図５Ａの破線で表される第１のＩＣＩＣ座標領域５２０に分散可能である。ＣＣＥＤ＿１  ５０６は、図５Ａの破線で表される第２のＩＣＩＣ座標領域５２１に分散可能である。図５Ｂは、ＡＧＧＬが２であるｅＣＣＥに用いられてもよい。図５Ｂでは、同一ｅＰＤＣＣＨの２つの分散ｅＣＣＥ５０６および５０８は、同じ第１のＩＣＩＣ座標領域５２０に分散される。さらに、同一のｅＰＤＣＣＨの２つの分散ｅＣＣＥ５１０および５１２は、同じ第２のＩＣＩＣ座標領域５２１に分散される。
【０１０７】
一実施形態では、ＡＧＧＬ固有論理インデキシングを分散ｅＣＣＥに用いられてもよい。例えば、任意のＡＧＧＬの探索空間に属する分散ｅＰＤＣＣＨを、可能な限り、異なるＩＣＩＣ座標領域をまたがって分散させてもよい。図５Ａの例は、ＩＣＩＣ座標領域５２０に分散されるＣＣＥＤ＿０として分散ｅＣＣＥ５０６をインデキシングしてもよいこと、ＩＣＩＣ座標領域５２１に分散されるＣＣＥＤ＿１として分散ｅＣＣＥ５０８をインデキシングしてもよいこと、ＩＣＩＣ座標領域５２１に分散されるＣＣＥＤ＿３として分散ｅＣＣＥ５１２をインデキシングしてもよい。一方で、ＩＣＩＣ座標領域５２０に分散されるＣＣＥＤ＿２として分散ｅＣＣＥ５１０をインデキシングしてもよいことを、示している。図５Ｂは、同一のＩＣＩＣ座標領域５２０に分散されるＣＣＥＤ＿０およびＣＣＥＤ＿１として第１のｅＰＤＣＣＨの分散ｅＣＣＥ５０６および５０８をそれぞれインデキシングしてもよい。一方で、同一のＩＣＩＣ座標領域５２１に分散されるＣＣＥＤ＿２およびＣＣＥＤ＿３として第２のｅＰＤＣＣＨにマッピングされた分散ｅＣＣＥ５１０および５１２をインデキシングしてもよい。 
【０１０８】
図４Ａ、４Ｂ、５Ａ、および５Ｂの例では、物理下りリンク制御チャンネル（ＰＵＣＣＨ）インデックスを暗黙的に導出してＰＵＣＣＨインデキシングの曖昧さを低減するべく、物理ｅＣＣＥインデックスをｅＮＢに用いてもよい。別の実施形態では、論理ｅＣＣＥインデックスは、スケジューリング利得およびＩＣＩＣスケジューリング利得を達成するべく、ＵＥによって、ｅＰＤＣＣＨリソース割り当ておよびブラインド復号化に用いられてもよい。
【０１０９】
図６Ａおよび６Ｂは、局在ｅＣＣＥおよび分散ｅＣＣＥが全体的にインデキシングされ得る例を提供する。図４Ａ、４Ｂ、５Ａ、および５Ｂに関連して既に述べた実施形態と同様に、１つのＰＲＢペアにおける局在ｅＣＣＥと分散ｅＣＣＥとの比もまた、上位レイヤ信号伝送、例えばｅＮＢからのＲＲＣ信号伝送によって構成され得る。図６Ａおよび図６Ｂに示されるグローバル論理ｅＣＣＥインデキシングは、局在および分散ｅＰＤＣＣＨ候補の両方をＵＥの探索空間に含むことに固有であるアグリゲーションレベルであってもよい。一実施形態では、局在ｅＰＤＣＣＨ候補および分散ｅＰＤＣＣＨ候補が互いにインターリーブされてもよい。図６ＡのＡＧＧＬ１に関する例に示されるように、ｅＣＣＥのインデックスは、例えば０から始まってもよい。局在ｅＣＣＥ６０２、６０６、６１０、６１４を、ＣＣＥ０、ＣＣＥ２、ＣＣＥ４、およびＣＣＥ６として、それぞれインデキシングしてもよい。分散ｅＣＣＥ６０４、６０８、６１２、６１６を、それぞれ、ＣＣＥ１、ＣＣＥ３、ＣＣＥ５、およびＣＣＥ７として、インデキシングしてもよい。図６ＢのＡＧＧＬ２に関する例に示されるように、ｅＣＣＥのインデックスもまた、例えば０から開始されてもよい。しかし、必ずしもこのようにしなくてはならないというものではない。第１のｅＰＤＣＣＨ候補の局在ｅＣＣＥ６０２および６０４を、それぞれＣＣＥ０およびＣＣＥ１としてインデキシングしてよい。第２のｅＰＤＣＣＨ候補の分散ｅＣＣＥ６０６および６０８をそれぞれＣＣＥ２およびＣＣＥ３としてインデキシングしてもよい。局在ｅＣＣＥ６１０および６１２をそれぞれＣＣＥ４およびＣＣＥ５としてインデキシングしてもよい。さらに、分散ｅＣＣＥ６１４および６１６をそれぞれＣＣＥ６およびＣＣＥ７としてインデキシングしてもよい。
【０１１０】
図４Ａ、４Ｂ、５Ａ、および５Ｂに関連して既に述べた実施形態と同様に、図６Ａおよび図６Ｂに示されるＡＧＧＬ固有論理ｅＣＣインデキシングを、ｅＰＤＣＣＨ割り当ておよびブラインド復号化に用いることができる。別の実施形態では、図６Ａおよび図６Ｂの例に示される物理ｅＣＣＥを、潜在的ＰＵＣＣＨインデックス導出に用いることができる。さらに別の実施形態では、図６Ａおよび図６Ｂの論理ｅＣＣＥインデキシングは、図５Ａおよび５Ｂに関連して既に述べた例と同様に、ＩＣＩＣ座標領域を考慮可能である。図６ＡのＡＧＧＬ１に関連して、同じＡＧＧＬに属する異なるｅＰＤＣＣＨは、可能な限り、異なるＩＣＩＣ座標領域に分散されてもよい。例えば、分散ｅＣＣＥ６０４および６０８は、異なる座標領域にあってもよい。一方で、分散ｅＣＣＥ６１２および６１６は異なる座標領域にあってもよい。同様に、図６Ｂに示すＡＧＧＬ２の例では、同じｅＰＤＣＣＨにマッピングされる分散ｅＣＣＥ６０６、６０８は、分散ｅＣＣＥ６１４、６０８が位置する座標領域とは異なる同一の座標領域にあってもよい。図６Ａおよび図６ＢがいくつかのｅＣＣＥの実施形態を示す。一方で、いくつかの実施形態は、異なる数のｅＣＣＥを有してもよい。
【０１１１】
図７は、それぞれ別個の局在および分散独立ｅＣＣＥインデキシングの一例を示す。ｅＣＣＥインデキシングもまた、図４Ａ、４Ｂ、５Ａ、および５Ｂに関連して説明されてもよい。ブロック７１０では、ｅＮＢは、少なくとも１つのｅＣＣＥで、各ｅＰＤＣＣＨ内に変調されたシンボルをマッピングしてもよい。ブロック７２０では、ｅＮＢは、例えば制御チャンネルの品質に基づいて、ｅＰＤＣＣＨの探索空間における局在ｅＣＣＥと分散ｅＣＣＥとの比を決定または調整してもよい。ブロック７３０では、ｅＮＢは、ブロック７２０で決定されるように、探索空間において局在ｅＣＣＥと分散ｅＣＣＥとの比によってＵＥが探索すべき局在ｅＰＤＣＣＨ候補と分散ｅＰＤＣＣＨ候補との比を示してもよい。ブロック７４０では、ｅＮＢは局在ｅＣＣＥのアグリゲーションレベル固有論理インデキシングを実行してもよい。例えば、ｅＮＢは、図４Ａおよび５Ａに示されるように、アグリゲーションレベルが１である局在ｅＣＣＥの論理インデキシングを実行可能である。ｅＮＢは、図４Ｂおよび５Ｂに示されるように、アグリゲーションレベルが２の局在ｅＣＣＥの論理インデキシングを実行可能である。ブロック７５０では、ｅＮＢは分散ｅＣＣＥのアグリゲーションレベル固有論理インデキシングを実行してもよい。図４Ａおよび５Ａは、ＡＧＧＬが１である例を示し、図４Ｂおよび図５ＢはＡＧＧＬが２である例を示す。別の実施形態では、ｅＮＢはさらに、論理ｅＣＣＥインデックスにマッピングされた物理ｅＣＣＥインデックスに基づいてＰＵＣＣＨインデックスを暗黙的に導出してもよい。
【０１１２】
図８は、グローバル局在および分散ｅＣＣＥインデキシングの一例を示す。ｅＣＣＥインデキシングを、図６Ａおよび図６Ｂに関連して説明してもよい。ブロック８１０では、ｅＮＢは，各ｅＰＤＣＣＨ内の変調されたシンボルを少なくとも１つのｅＣＣＥにマッピングしてもよい。ブロック８２０では、ｅＮＢは、例えば制御チャンネルの品質に基づいて、ｅＰＤＣＣＨの探索空間内の局在ｅＣＣＥと分散ｅＣＣＥとの比を決定してもよい。ブロック８３０では、ｅＮＢは、ブロック８２０で決定されるように、探索空間において局在ｅＣＣＥと分散ｅＣＣＥとの比によってＵＥが探索すべき局在ｅＰＤＣＣＨ候補と分散ｅＰＤＣＣＨ候補との比を示してもよい。ブロック８４０では、ｅＮＢは、局在および分散ｅＣＣＥのアグリゲーションレベル固有論理インデキシングを実行してもよい。例えば、ｅＮＢは、図６Ａおよび図６Ｂに示されるように、局在ｅＣＣＥおよび分散ｅＣＣＥに関してインターリーブインデキシングされてもよい。さらに、ブロック７５０では、ｅＮＢは,分散ｅＣＣＥの論理インデキシングについて図５Ａおよび５Ｂに示されるＩＣＩＣ座標領域をさらに利用してもよい。
【０１１３】
図９は、ユーザ機器（ＵＥ）、移動局（ＭＳ）、モバイル無線デバイス、モバイル通信デバイス、タブレット、ハンドセット、または他のタイプのモバイル無線デバイスなどのモバイルデバイスの例示的な図示を提供する。モバイルデバイスは、基地局（ＢＳ）、進化型ノードＢ（ｅＮＢ）、または他のタイプの無線広域ネットワーク（ＷＷＡＮ）アクセスポイントと通信するように構成された１または複数のアンテナを有してもよい。２本のアンテナが示される一方で、モバイルデバイスは、１から４本、またはそれ以上の数のアンテナを有してもよい。モバイルデバイスを、少なくとも１つの無線通信規格を用いて通信するように構成してもよく、このような規格として、第３世代パートナーシッププロジェクトロングタームエボリューション（３ＧＰＰ  ＬＴＥ）、Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ（登録商標））、高速パケットアクセス（ＨＳＰＡ）、Ｂｌｕｅｔｏｏｔｈ（登録商標）、ＷｉＦｉ、または他の無線規格が挙げられる。モバイルデバイスは、各無線通信規格用に別個のアンテナを用いて、または複数の無線通信規格用にアンテナを共有して、通信してもよい。モバイルデバイスは、無線ローカルエリアネットワーク（ＷＬＡＮ）、無線パーソナルエリアネットワーク（ＷＰＡＮ）、および／または無線広域ネットワーク（ＷＷＡＮ）で、通信してもよい。
【０１１４】
図９は、モバイルデバイスからの音声入出力に用いられてもよいマイクと１または複数のスピーカとの説明図も提供する。ディスプレイ画面は、液晶ディスプレイ（ＬＣＤ）スクリーン、または有機発光ダイオード（ＯＬＥＤ）ディスプレイなどの他のタイプのディスプレイ画面であってもよい。ディスプレイ画面は、タッチスクリーンとして構成されてよい。タッチスクリーンは、容量性、抵抗性、または他のタイプのタッチスクリーン技術を用いてもよい。アプリケーションプロセッサおよびグラフィクスプロセッサを内部メモリに結合させて、処理機能および表示機能を提供してもよい。ユーザに対してデータ入出力オプションを提供するべく、不揮発性メモリポートを用いてもよい。モバイルデバイスのメモリ機能を拡張するべく、不揮発性メモリポートを用いてもよい。キーボードをモバイルデバイスと一体化させて、またはモバイルデバイスに無線接続させて、追加のユーザ入力を提供してもよい。仮想的キーボードもまた、タッチスクリーンを用いて提供可能である。
【０１１５】
図１０は、ｅＮＢ１００２と、ユーザ機器（ＵＥ）、移動局（ＭＳ）、モバイル無線デバイス、モバイル通信デバイス、タブレット、ハンドセット、または他のタイプのモバイル無線デバイスなどのモバイルデバイス１０１２との間の通信の例示的な図示を提供する。モバイルデバイス１０１２の説明は、図９に関連して述べた実施形態を指してもよい。モバイルデバイス１０１２は、ネットワーク１０１４を介して、基地局（ＢＳ）、進化型ノードＢ（ｅＮＢ）、または他のタイプの無線広域ネットワーク（ＷＷＡＮ）アクセスポイントと通信するように構成された１または複数のアンテナを有してもよい。
【０１１６】
図１０はまた、リソースマッピングモジュール１００６に結合し得るｅＣＣＥインデキシングモジュール１００４の例を提供する。図１０はｅＮＢ１００２内に２つのモジュールを示すが、いくつかの実施形態では、ｅＮＢ１００２は追加のモジュールを有してもよい。一実施形態では、ｅＣＣＥインデキシングモジュール１００４は、例えば、図７および８に示されるように、ｅＰＤＣＣＨの探索空間においてｅＣＣＥのインデックスが得られるように構成されてよい。別の実施形態では、リソースマッピングモジュール１００６は、モバイルデバイス１０１２へ送信されるｅＰＤＣＣＨの探索空間を形成すべくリソースマッピングを実行してもよい。探索空間内のｅＣＣＥに関する情報は、長期間調整用のＲＲＣ信号伝送または短期間調整用のＳＩＢ信号伝送を介して、ｅＮＢ１００２によってモバイルデバイス１０１２に送信されてもよい。ＵＥ１０１２は、対応する探索空間に基づいて、ｅＰＤＣＣＨブラインド復号化を実行するべく、ＲＲＣ信号伝送およびＳＩＢ信号伝送を用いてもよい。例えば、図１０では、モバイルデバイス１０１２は、図４Ａ、４Ｂ、５Ａ、５Ｂ、６Ａ、６Ｂ、７、および８に関連して上述したインデキシングに基づいてｅＣＣＥインデックスを得る、またはデインデキシングすることが可能なｅＣＣＥデインデキシングモジュール１０１６を有してもよい。ｅＰＤＣＣＨ割り当ておよびブラインド復号化モジュール１０１８は、モジュール１０１６から得たｅＣＣＥインデックスを用いて、ｅＰＤＣＣＨブラインド復号化とｅＰＤＣＣＨ割り当ておよび/またはリソース割り当てとを実行してもよい。いくつかの実施形態では、モジュール１０１８をいくつかのモジュールに分割してもよい。モバイルデバイス１０１２では２つのモジュールが示されている。一方で、いくつかの実施形態では、モバイルデバイス１０１２は任意の他のモジュールを有してもよい。
【０１１７】
本明細書中で説明されるｅＮＢ１００２およびＵＥ１０１２は、所望の構成になるように、任意の適当なハードウェアおよび/またはソフトウェアを用いてシステムの中に実装されてもよい。図１１は、一実施形態に関して、例となるシステム１１００を示し、このシステム１１００は、１または複数のプロセッサ１１０４、該プロセッサ１１０４のうち少なくとも１つに結合したシステム制御論理１１０８、システム制御論理１１０８に結合したシステムメモリ１１１２、システム制御論理１１０８に結合した不揮発性メモリ（ＮＶＭ）/ストレージ１１１６、およびシステム制御論理１１０８に結合したネットワークインターフェース１１２０を有する。
【０１１８】
プロセッサ１１０４は、１または複数の単一コアまたはマルチコアプロセッサを有してもよい。プロセッサ１１０４は、汎用プロセッサおよび専用プロセッサ（例えば、グラフィクスプロセッサ、アプリケーションプロセッサ、ベースバンドプロセッサ）の任意の組み合わせを有してもよい。システム１１００がＵＥ１００２を実装する一実施形態では、プロセッサ１１０４はプロセッサモジュールを有し、様々な実施形態に応じて図１〜１０の実施形態を実行するように構成されてよい。システム１１００がｅＮＢ１００２を実装する一実施形態では、プロセッサ１１０４はモジュール１００４および１００６を有してもよい。
【０１１９】
一実施形態のシステム制御論理１１０８は、少なくとも１つのプロセッサ１１０４に対する、および/またはシステム制御論理１１０８と通信する任意の適当なデバイスもしくはコンポーネントに対する任意の適当なインターフェースを提供する任意の適当なインターフェースコントローラを有してもよい。
【０１２０】
一実施形態のシステム制御論理１１０８は、システムメモリ１１１２に対するインターフェースを提供するべく、１または複数のメモリコントローラを有してもよい。システムメモリ１１１２は、例えばシステム１１００用に、データおよび/または命令を読み込みまたは格納するために用いられてもよい。一実施形態のシステムメモリ１１１２は、例えば適当なダイナミックランダムアクセスメモリ（ＤＲＡＭ）などの任意の適当な揮発性メモリを有してもよい。
【０１２１】
ＮＶＭ／ストレージ１１１６は、例えばデータおよび/または命令を格納するために用いられる１または複数の有形の持続性コンピュータ可読媒体を有してもよい。例えば、ＮＶＭ／ストレージ１１１６は、任意の適当な、フラッシュメモリなどの不揮発性メモリを有してもよく、および/または任意の適当な、１または複数のハードディスクドライブ（ＨＤＤ）などの不揮発性ストレージデバイス、１または複数のコンパクトディスク（ＣＤ）ドライブ、ならびに/あるいは、例えば、１または複数のデジタル多用途ディスク（ＤＶＤ）ドライブを有してもよい。
【０１２２】
ＮＶＭ／ストレージ１１１６は、システム１１００がインストールされるデバイスの物理的部分であるストレージリソースを有してよく、またはそれは、必ずしも一部ではないが、デバイスによってアクセス可能であってもよい。例えば、ネットワークインターフェース１１２０を介して、ネットワーク上でＮＶＭ／ストレージ１１１６にアクセスしてもよい。
【０１２３】
具体的には、システムメモリ１１１２およびＮＶＭ／ストレージ１１１６は、それぞれ、命令１１２４の一時的および永続的コピーを有してよい。命令１１２４は、少なくとも１つのプロセッサ１１０４によって実行された場合に、本明細書中に述べたように、１つまたは両方の方法４００および７００をシステム１１００が実装することになる命令を含んでもよい。いくつかの実施形態では、命令１１２４あるいはそのハードウェアファームウェアおよび/またはソフトウェアコンポーネントは、システム制御論理１１０８、ネットワークインターフェース１１２０、および/またはプロセッサ１１０４に、追加的/代替的に位置してもよい。
【０１２４】
ネットワークインターフェース１１２０は、１または複数のネットワークおよび/または任意の他の適したデバイス上で通信するべく、システム１１００の無線インターフェースを提供する送受信機１１２２を有してもよい。送受信機１１２２は、受信機モジュールおよび/または送信機モジュールを実装可能である。様々な実施形態において、送受信機１１２２を、システム１１００の他のコンポーネントと一体化してもよい。例えば、送受信機１１２２は、プロセッサ１１０４のプロセッサ、システムメモリ１１１２のメモリ、およびＮＶＭ／ストレージ１１１６のＮＶＭ/ストレージを有してもよい。ネットワークインターフェース１１２０は、任意の適当なハードウェアおよび/またはファームウェアを有してもよい。ネットワークインターフェース１１２０は、複数入力/複数出力無線インターフェースを提供するべく、複数のアンテナを有してもよい。一実施形態のネットワークインターフェース１１２０として、例えば、ネットワークアダプタ、無線ネットワークアダプタ、電話モデム、および/または無線モデムを挙げることが可能である。
【０１２５】
一実施形態に関して、少なくとも１つのプロセッサ１１０４をシステム制御論理１１０８の１または複数のコントローラの論理とともにパッケージ化してもよい。一実施形態に関して、少なくとも１つのプロセッサ１１０４をシステム制御論理１１０８の１または複数のコントローラ用の論理とともにパッケージ化して、システムインパッケージ（ＳｉＰ）を形成してもよい。一実施形態に関して、少なくとも１つのプロセッサ１１０４を、システム制御論理１１０８の１または複数のコントローラ用の論理とともに、同一のダイ上で一体化されてもよい。一実施形態に関して、少なくとも１つのプロセッサ１１０４をシステム制御論理１１０８の１または複数のコントローラ用の論理とともに同一のダイ上で一体化して、システムオンチップ（ＳｏＣ）を形成してもよい。
【０１２６】
システム１１００はさらに、入出力（Ｉ／Ｏ）デバイス１１３２を有してもよい。Ｉ／Ｏデバイス１１３２は、システム１１００とのユーザインタラクションを可能にするように設計されたユーザユーザインタフェース、システム１１００との周辺機器コンポーネントインタラクションを可能にするように設計された周辺機器コンポーネントインターフェース、ならびに/あるいは環境条件および/またはシステム１１００に関連する位置情報を決定するように設計されたセンサを有してもよい。
【０１２７】
様々な実施形態において、ユーザインタフェースは、限定されるものではないが、ディスプレイ（例えば、液晶ディスプレイ、タッチスクリーンディスプレイ）、スピーカ、マイク、１または複数のカメラ（例えばスチルカメラおよび/またはビデオカメラ）、懐中電灯（例えば、発光ダイオードフラッシュ）、およびキーボードを有し得る。
【０１２８】
様々な実施形態において、限定されるものではないが、周辺機器コンポーネントインターフェースとして、不揮発性メモリポート、オーディオジャック、および電源インターフェースを挙げることが可能である。
【０１２９】
様々な実施形態において、センサとして、限定されるものではないが、ジャイロセンサ、加速度計、近接センサ、環境光センサ、および測位ユニットを挙げることが可能である。測位ユニットは、測位ネットワーク、例えば、全地球測位システム（ＧＰＳ）衛星のコンポーネントと通信するためのネットワークインターフェース１１２０の一部であってもよく、またはそれと情報のやりとりをしてもよい。
【０１３０】
様々な実施形態において、システム１１００は、限定されるものではないが、ラップトップ、コンピューティングデバイス、タブレット、コンピューティングデバイス、ネットブック、携帯電話などのモバイルコンピューティングデバイスであってよい。様々な実施形態において、システム１１００はコンポーネントの数がより多く、またはより少なくてもよく、および/あるいはアーキテクチャが異なるものであってもよい。
【０１３１】
理解するべきことは、本明細書に説明される機能ユニットの多くが、それらの実装の独立性を、より具体的に強調するべく、モジュールとしてラベル付けされていることである。例えば、モジュールは、カスタムＶＬＳＩ回路またはゲートアレイを有するハードウェア回路として、論理チップ、トランジスタなどの既製の半導体として、あるいは他の個別のコンポーネントとして実装されてもよい。モジュールは、フィールドプログラマブルゲートアレイ、プログラマブル論理アレイ、またはプログラマブル論理デバイスなどのプログラマブルハードウェアデバイスのかたちで実装されてもよい。
【０１３２】
モジュールはまた、様々なタイプのプロセッサによる実行用のソフトウェアのかたちで実装されてもよい。例えば、特定された実行可能なコードのモジュールは、オブジェクト、プロシージャ、または関数などとして構成されてよいコンピュータ命令の１または複数の物理的または論理的ブロックを有してもよい。にもかかわらず、特定されたモジュールの実行可能なコードは、物理的に一緒に配置されなくてもよい。しかし、それは、論理的に一緒に結合される場合に当該モジュールを有してこのモジュールの定められた目的を達成する、異なる位置に格納された別々の命令を有してもよい。
【０１３３】
実行可能なコードのモジュールは、単一の命令または多数の命令であってもよく、複数の異なるコードセグメント、複数の異なるプログラム間、および複数のメモリデバイスにわたって、さらに分散されてもよい。同様に、処理データは、本明細書中においてモジュール内に特定かつ示されてもよく、何任意の適切な形態により実現されてもよく、任意の適当なタイプのデータ構造内に構成されてよい。処理データは、単一のデータセットして収集されてもよいし、または異なるストレージデバイス上を含む異なる位置に分散されてもよく、少なくとも部分的に、単にシステムまたはネットワーク上の電子信号として存在してもよい。モジュールは、所望の関数を実行するよう動作可能なエージェントを含む受動的またはアクティブなものであってもよい。
【０１３４】
本明細書を通じて「例」として言及することは、その例に関連して説明される特有の機能、構造、または特性が本発明の少なくとも１つの実施形態に含まれることを意味する。したがって、本明細書を通じて各所における「実施例において」という文言の出現は、必ずしもすべてが同一の実施形態に言及しているとは限らない。
【０１３５】
本明細書中で用いられるように、複数のアイテム、構造要素、構成要素、および/または材料を、便宜上、共通のリストに表すことが可能である。しかし、これらのリストは、当該リストの各要素が別個の一意的な要素として個別に特定されるものとして解釈されるべきである。したがって、そのようなリストの個々の要素は、それとは反対の指摘がない場合、共通のグループのプレゼンテーションのみに基づき、同一のリストの他のいずれかの要素に均等なものとして解釈されるべきである。さらに、本発明の様々な実施形態および実施例は、それらの様々なコンポーネントの代替物と共に本明細書中に参照されてもよい。そのような実施形態、実施例、および代替物は互いの実質的な均等物として解釈されるべきでなく、本発明の別個の自律的な表現としてみなされるべきであると、理解される。
【０１３６】
さらに、説明された機能、構造、および特性は、１または複数の実施形態において任意の適当なやり方により組み合わされてもよい。以下の説明では、本発明の実施形態を深く理解するため、探索空間の例などの様々な具体的詳細が提供される。しかし、当業者は、本発明がこれらの具体的詳細のうちの１または複数がなくても、あるいは他の方法、コンポーネント、材料などがあっても実現可能であることを認識するであろう。他の例において、本発明の態様を不明瞭になることを防ぐため、周知の構造、材料、または動作を詳細には図示または説明していない。
【０１３７】
上述の例は、１または複数の特定の適用例での本発明の原理を例示している。一方で、実施の形態、利用、および詳細において様々な変更が発明力の訓練なしに、また本発明の原理および概念から逸脱することなく可能であることが、当業者に明らかであろう。したがって、本発明は、以下に記載の請求項による場合を除き、「限定されることを意図していない。
【０１３８】
図１、２、７、および８の方法が一連の処理を含むように示されている一方で、いくつかの実施形態の方法は、異なる順番で図示された処理を実行可能である。
【０１３９】
本発明の特定の機能を実施形態に関連して説明した。一方で、この説明は限定的意味で解釈されることを意図していない。本発明が属する技術分野の当業者に明らかな実施形態の様々な変更は、本発明の他の実施形態と同様に、本発明の精神および範囲内にあるとみなされる。
本実施形態の例を下記の各項目として示す。
［項目１］
インターネットプロトコル（ＩＰ）ベース無線通信ネットワークの基地局によって、ユーザ機器（ＵＥ）の拡張物理下りリンク制御チャンネル（ｅＰＤＣＣＨ）における、複数の変調されたシンボルを、複数の局在ｅＣＣＥおよび複数の分散ｅＣＣＥのうち少なくとも１つを含む複数の拡張制御チャンネル要素（ｅＣＣＥ）に対して、マッピングする段階と、
前記基地局によって、前記ｅＰＤＣＣＨのアグリゲーションレベルに基づいて前記複数の局在ｅＣＣＥに対する論理インデキシングを実行する段階と、
前記基地局によって、前記ｅＰＤＣＣＨの前記アグリゲーションレベルに基づいて前記複数の分散ｅＣＣＥに対する論理インデキシングを実行する段階と備える、方法。
［項目２］
前記ｅＰＤＣＣＨの品質に基づいて、前記ｅＰＤＣＣＨの探索空間のリソースブロックペア内の前記複数の局在ｅＣＣＥと前記複数の分散ｅＣＣＥとの比を、前記基地局によって決定する段階を、さらに備える、項目１に記載の方法。
［項目３］
前記複数の局在ｅＣＣＥと前記複数の分散ｅＣＣＥとの前記比に基づいて前記ＵＥが探索すべき複数の局在ｅＰＤＣＣＨ候補と複数の分散ｅＰＤＣＣＨ候補との比を、前記基地局によって示す段階を、さらに備える、項目２に記載の方法。
［項目４］
前記ｅＰＤＣＣＨの前記アグリゲーションレベルに基づいて探索空間の前記複数の局在ｅＣＣＥの複数の論理インデックスを、前記基地局によって分散させる段階を、さらに備える、項目１から３のいずれか一項に記載の方法。
［項目５］
第１の分散ｅＣＣＥが前記ｅＰＤＣＣＨを送信するための第１のＩＣＩＣ座標領域を用いていることを決定することに応答して、前記基地局によって、前記第１のＩＣＩＣ座標領域をブランキングする段階と、
前記ｅＰＤＣＣＨの前記アグリゲーションレベルに基づいて第２のＩＣＩＣ座標領域内に、前記第１の分散ｅＣＣＥに隣接している第２の分散ｅＣＣＥ用の複数の論理ｅＣＣＥを分散させる段階とを、
さらに備える、項目１から４のいずれか一項に記載の方法。
［項目６］
複数の論理インデックスにマップする複数の物理ｅＣＣＥインデックスによって前記ＵＥの物理上りリンク制御チャンネル（ＰＵＣＣＨ）のインデックスを、前記基地局によって導出する段階を、さらに備える、項目１から５のいずれか一項に記載の方法。
［項目７］
前記ｅＰＤＣＣＨの前記アグリゲーションレベルに基づいて、グローバル論理インデキシングを提供するべく複数の論理局在インデックスと複数の論理分散インデックスとを、前記基地局によって、互いにインターリーブする段階を、さらに備える、項目１から６のいずれか一項に記載の方法。
［項目８］
前記ｅＰＤＣＣＨの前記アグリゲーションレベルに基づいて、前記グローバル論理インデキシング内の前記ｅＰＤＣＣＨの送信に関する複数の異なるＩＣＩＣ座標領域に複数の論理分散ｅＣＣＥを、前記基地局によって分散させる段階を、さらに備える、項目７に記載の方法。
［項目９］
前記ｅＰＤＣＣＨの複数の論理インデックスに基づいて、ｅＰＤＣＣＨリソース割り当てを、前記基地局によって実行する段階を、さらに備える、項目１から８のいずれか一項に記載の方法。
［項目１０］
前記ｅＰＤＣＣＨの複数の論理インデックスに基づいて、ｅＰＤＣＣＨブラインド復号化を、基地局によって実行する段階を、さらに備える、項目１から９のいずれか一項に記載の方法。
［項目１１］
前記第１のＩＣＩＣ座標領域および前記第２のＩＣＩＣ座標領域の各々は、各リソースブロックペア内の１つの等価な局在ｅＣＣＥに等しい、項目５に記載の方法。
［項目１２］
インターネットプロトコル（ＩＰ）ベース無線通信ネットワークの拡張型ノードＢ局（ｅＮＢ局）を介して、ユーザ機器（ＵＥ）と通信するプロセッサと、
前記プロセッサに結合し、複数の命令が格納された記憶媒体とを備え、該命令は、前記プロセッサによって実行された場合に、
前記ユーザ機器（ＵＥ）の拡張物理下りリンク制御チャンネル（ｅＰＤＣＣＨ）内の複数の変調されたシンボルが前記ｅＮＢ局により複数の拡張制御チャンネル要素（複数のｅＣＣＥ）に対してマッピングされること、ならびに、
前記複数のｅＣＣＥは、複数の局在ｅＣＣＥおよび複数の分散ｅＣＣＥを有し、前記ｅＮＢ局によって、前記ｅＰＤＣＣＨのアグリゲーションレベルに基づいて前記複数の局在ｅＣＣＥおよび前記複数の分散ｅＣＣＥに対して論理インデキシングを実行すること、をもたらす、システム。
［項目１３］
前記複数の命令は、実行された場合、前記ｅＰＤＣＣＨの品質に基づいて前記ｅＰＤＣＣＨの探索空間のリソースブロックペア内の前記複数の局在ｅＣＣＥと前記複数の分散ｅＣＣＥとの比を前記ｅＮＢ局によって決定することを、さらにもたらす、項目１２に記載のシステム。
［項目１４］
前記複数の命令は、実行された場合、前記複数の局在ｅＣＣＥと前記複数の分散ｅＣＣＥとの比に基づいてＵＥが探索すべき複数の局在ｅＰＤＣＣＨ候補と複数の分散ｅＰＤＣＣＨ候補との比を前記ｅＮＢ局によって示すことを、さらにもたらす、項目１２または１３に記載のシステム。
［項目１５］
前記複数の命令は、実行された場合、前記ｅＰＤＣＣＨの前記アグリゲーションレベルに基づいて探索空間内に、複数の異なるリソースブロックペア内の前記複数の局在ｅＣＣＥの複数の論理インデックスを、前記ｅＮＢ局によって分散させることを、さらにもたらす、項目１２から１４のいずれか一項に記載のシステム。
［項目１６］
前記複数の命令は、実行された場合、前記ｅＰＤＣＣＨの前記アグリゲーションレベルに基づいて、前記ｅＰＤＣＣＨの送信における複数の異なるＩＣＩＣ座標領域内に前記複数の分散ｅＣＣＥの複数の論理インデックスを、前記ｅＮＢ局によって分散させることを、さらにもたらし、
各ＩＣＩＣ座標領域が各リソースブロックペア内の１つの等価な局在ｅＣＣＥに等しい、項目１２から１５のいずれか一項に記載のシステム。
［項目１７］
前記複数の命令は、実行された場合、複数の論理インデックスにマップする複数の物理ｅＣＣＥインデックスによって前記ＵＥの物理上りリンク制御チャンネル（ＰＵＣＣＨ）の複数のインデックスを、基地局によって導出することを、さらにもたらす、項目１２から１６のいずれか一項に記載のシステム。
［項目１８］
前記複数の命令は、実行された場合、グローバル論理インデキシングを提供するべく、前記ｅＰＤＣＣＨの前記アグリゲーションレベルに基づいて、複数の論理局在インデックスおよび複数の論理分散インデックスを、前記ｅＮＢ局によって互いにインターリーブすることを、さらにもたらす、項目１２から１７のいずれか一項に記載のシステム。
［項目１９］
前記複数の命令は、実行された場合、前記ｅＮＢ局によって、前記ｅＰＤＣＣＨのアグリゲーションレベルに基づいて、前記グローバル論理インデキシングにおける前記ｅＰＤＣＣＨの送信の複数の異なるＩＣＩＣ座標領域内に、前記複数の論理分散インデックスを分散させることを、さらにもたらす、項目１８に記載のシステム。
［項目２０］
前記複数の命令は、実行された場合、前記ｅＮＢ局によって、前記ｅＰＤＣＣＨの複数の論理インデックスに基づいて、ｅＰＤＣＣＨリソース割り当てを実行することを、さらにもたらす、項目１２から１９のいずれか一項に記載のシステム。
［項目２１］
前記複数の命令は、実行された場合、前記ｅＮＢ局によって、前記ｅＰＤＣＣＨの複数の論理インデックスに基づいて、ｅＰＤＣＣＨブラインド復号化を実行することを、さらにもたらす、項目１２から２０のいずれか一項に記載のシステム。
［項目２２］
無線通信ネットワーク進化型ノードＢ（ｅＮＢ）によって採用される装置であって、
複数の拡張制御チャンネル要素（複数のｅＣＣＥ）に対して、拡張物理下りリンク制御チャンネル（ｅＰＤＣＣＨ）内の変調されたシンボルをマッピングし、前記複数のｅＣＣＥは、複数の局在ｅＣＣＥおよび複数の分散ｅＣＣＥのうち少なくとも１つを含み、前記ｅＰＤＣＣＨは、無線フレーム内のユーザ機器（ＵＥ）と通信する、リソースマッピングモジュールと、
前記ｅＰＤＣＣＨのアグリゲーションレベルに基づいて、前記複数の局在ｅＣＣＥおよび前記複数の分散ｅＣＣＥのうち少なくとも１つに対して論理インデキシングを実行する、ｅＣＣＥインデキシングモジュールと、
を備える装置。
［項目２３］
前記ｅＣＣＥインデキシングモジュールは、さらに、前記ｅＰＤＣＣＨの品質に基づいて、前記ｅＰＤＣＣＨの探索空間のリソースブロックペア内の前記複数の局在ｅＣＣＥと前記複数の分散ｅＣＣＥとの比を決定する、項目２２に記載の装置。
［項目２４］
前記ｅＣＣＥインデキシングモジュールは、さらに、前記複数の局在ｅＣＣＥと前記複数の分散ｅＣＣＥとの比に基づいて前記ＵＥが探索すべき局在ｅＰＤＣＣＨ候補と分散ｅＰＤＣＣＨ候補との比を示す、項目２２または２３に記載の装置。
［項目２５］
前記ｅＣＣＥインデキシングモジュールは、さらに、前記ｅＰＤＣＣＨの前記アグリゲーションレベルに基づいて、異なるリソースブロックペアの前記複数の局在ｅＣＣＥの複数の論理インデックスを探索空間に分散する、項目２２から２４のいずれか一項に記載の装置。
［項目２６］
前記ｅＣＣＥインデキシングモジュールは、さらに、前記ｅＰＤＣＣＨの前記アグリゲーションレベルに基づいて前記ｅＰＤＣＣＨの送信の複数の異なるＩＣＩＣ座標領域の分散ｅＣＣＥに対して複数の論理ｅＣＣＥを分散し、前記複数の異なるＩＣＩＣ座標領域の各々が各リソースブロックペア内の１つの等価な局在ｅＣＣＥに等しくなる、項目２２から２５のいずれか一項に記載の装置。
［項目２７］
前記ｅＣＣＥインデキシングモジュールは、さらに、複数の論理インデックスにマッピングされる複数の物理ｅＣＣＥインデックスによって、前記ＵＥの物理上りリンク制御チャンネル（ＰＵＣＣＨ）の複数のインデックスを導出する、項目２２から２６のいずれか一項に記載の装置。
［項目２８］
前記ｅＣＣＥインデキシングモジュールは、さらに、前記ｅＰＤＣＣＨの前記アグリゲーションレベルに基づいて、グローバル論理インデキシングを提供するべく複数の論理局在インデックスと複数の論理分散インデックスとを互いにインターリーブする、項目２２から２７のいずれか一項に記載の装置。
［項目２９］
前記ｅＣＣＥインデキシングモジュールは、さらに、前記ｅＰＤＣＣＨの前記アグリゲーションレベルに基づいて、グローバル論理インデキシングにおける前記ｅＰＤＣＣＨの送信の複数の異なるＩＣＩＣ座標領域内に、複数の論理分散インデックスを分散させる、項目２２から２８のいずれか一項に記載の装置。
［項目３０］
無線通信ネットワークのユーザ機器（ＵＥ）によって採用される装置であって、
前記ユーザ機器と通信する進化型ノードＢ（ｅＮＢ）からの無線リソース制御信号伝送（ＲＲＣ信号伝送）を受信し、
ｅＰＤＣＣＨのアグリゲーションレベルに基づいて複数の局在ｅＣＣＥおよび複数の分散ｅＣＣＥのうち少なくとも１つの複数の論理インデックスをデインデキシングする、回路を備え、
前記ＲＲＣ信号は、前記ｅＰＤＣＣＨの探索空間のリソースブロックペア内の前記複数の局在ｅＣＣＥと前記複数の分散ｅＣＣＥとの比を有し、
前記ｅＰＤＣＣＨは、無線フレーム内の前記ユーザ機器（ＵＥ）と通信する、装置。
［項目３１］
前記ＲＲＣ信号伝送は、前記複数の局在ｅＣＣＥと前記複数の分散ｅＣＣＥとの比に基づいて前記ＵＥが探索すべき複数の局在ｅＰＤＣＣＨ候補と複数の分散ｅＰＤＣＣＨ候補との比に関する情報を、さらに備える、項目３０に記載の装置。
［項目３２］
前記複数の局在ｅＣＣＥの前記複数の論理インデックスは、前記ｅＰＤＣＣＨの前記アグリゲーションレベルに基づいて、前記探索空間内の複数の異なるまたは同じリソースブロックペアに分散される、項目３０または３１に記載の装置。
［項目３３］
前記複数の分散ｅＣＣＥの論理インデックスは、前記ｅＰＤＣＣＨの前記アグリゲーションレベルに基づいて、前記ｅＰＤＣＣＨの送信の複数の異なるＩＣＩＣ座標領域に分散され、前記複数の異なるＩＣＩＣ座標領域の各々は、各リソースブロックペア内の１つの等価な局在ｅＣＣＥに等しい、項目３０から３２のいずれか一項に記載の装置。
［項目３４］
前記複数の論理インデックスは、前記ｅＰＤＣＣＨの複数の物理ｅＣＣＥインデックスにマッピングされ、前記複数の物理ｅＣＣＥインデックスは、黙示的物理上りリンク制御チャンネル（ＰＵＣＣＨ）インデックス導出に使用される、項目３０から３３のいずれか一項に記載の装置。
［項目３５］
複数の論理局在インデックスおよび複数の論理分散インデックスは、グローバル論理インデキシングを提供するべく、前記ｅＰＤＣＣＨの前記アグリゲーションレベルに基づいて、互いにインターリーブされる、項目３０から３４のいずれか一項に記載の装置。
［項目３６］
前記複数の論理分散インデックスは、前記ｅＰＤＣＣＨの前記アグリゲーションレベルに基づいて、前記グローバル論理インデキシングにおけるｅＰＤＣＣＨの送信の複数の異なるＩＣＩＣ座標領域に分散される、項目３５に記載の装置。
［項目３７］
前記複数の局在ｅＣＣＥおよび前記複数の分散ｅＣＣＥの前記複数の論理インデックスに基づいて、ｅＰＤＣＣＨリソース割り当てを実行する回路を、さらに備える、項目３０から３６のいずれか一項に記載の装置。
［項目３８］
前記複数の局在ｅＣＣＥおよび前記複数の分散ｅＣＣＥの前記複数の論理インデックスに基づいて、ｅＰＤＣＣＨブラインド復号化を実行する回路を、さらに備える、項目３０から３７のいずれか一項に記載の装置。
【図１】
0005964513.tif 000002
【図２】
0005964513.tif 000003
【図３】
0005964513.tif 000004
【図４Ａ】
0005964513.tif 000005
【図４Ｂ】
0005964513.tif 000006
【図５Ａ】
0005964513.tif 000007
【図５Ｂ】
0005964513.tif 000008
【図６Ａ】
0005964513.tif 000009
【図６Ｂ】
0005964513.tif 000010
【図７】
0005964513.tif 000011
【図８】
0005964513.tif 000012
【図９】
0005964513.tif 000013
【図１０】
0005964513.tif 000014
【図１１】
0005964513.tif 000015